(57)【要約】【課題】端末装置に配信された各広告データがユーザに閲覧される機会を公平に近づける。【解決手段】広告配信装置１の記憶部１１は、広告データと検索情報とを対応付けて記憶している。要求受信部１３は、ユーザの端末装置から広告の配信要求を受信し、受信した配信要求から検索条件を取得し、検索部１４は、検索条件と合致する検索情報に対応付けられた広告データを配信対象として特定する。表示優先度決定部１５は、特定された配信対象の広告データの表示優先度をランダムに決定し、配信部１６は、配信対象の広告データに、当該広告データの表示優先度を付加して配信要求送信元の端末装置に配信し、配信した広告データを表示優先度に従って表示させる。【選択図】図２
2014191571.tif 000002
【特許請求の範囲】
【請求項１】
広告データと検索情報とを対応付けて記憶する記憶部と、
ユーザの端末装置から広告の配信要求を受信する要求受信部と、
前記記憶部に記憶されている前記検索情報と前記要求受信部が受信した前記配信要求に設定されている検索条件との合致を判断し、合致すると判断された前記検索情報に対応付けられた前記広告データを配信対象として特定する検索部と、
前記検索部が特定した配信対象の前記広告データの表示優先度をランダムに決定する表示優先度決定部と、
配信対象の前記広告データに、前記表示優先度決定部が決定した当該広告データの前記表示優先度を付加して前記端末装置に配信し、配信した前記広告データを前記表示優先度に従って表示させる配信部と、
を備えることを特徴とする広告配信装置。
【請求項２】
前記配信部は、配信対象の前記広告データを前記表示優先度に応じて複数回に分けて前記端末装置に配信する、
ことを特徴とする請求項１に記載の広告配信装置。
【請求項３】
前記配信要求は、配信を要求する表示優先度の情報を含み、
前記配信部は、前記配信対象の前記広告データのうち、前記配信要求に含まれている前記表示優先度の前記広告データを前記端末装置に配信する、
ことを特徴とする請求項２に記載の広告配信装置。
【請求項４】
前記記憶部は、前記広告データの登録日時あるいは掲載開始日時をさらに記憶し、
前記検索部は、合致すると判断された前記検索情報と対応付けられ、かつ、前記登録日時あるいは前記掲載開始日時が前記配信要求を受信した時間帯に対応した時刻以降である前記広告データを配信対象として特定する、
ことを特徴とする請求項１から請求項３にいずれか１項に記載の広告配信装置。
【請求項５】
前記表示優先度決定部は、特定した配信対象の前記広告データの表示優先度を前記ユーザが属するカテゴリ毎にランダムに決定する、
ことを特徴とする請求項１から請求項４のいずれか１項に記載の広告配信装置。
【請求項６】
前記表示優先度決定部は、配信対象の前記広告データを優先度別の表示カテゴリに分類し、前記表示カテゴリ間の優先度を維持しながら、配信対象の前記広告データの表示優先度を分類した前記表示カテゴリ毎にランダムに決定する、
ことを特徴とする請求項１から請求項５のいずれか１項に記載の広告配信装置。
【請求項７】
広告データと検索情報とを対応付けて記憶する記憶部を備えた広告配信装置が実行する広告配信方法であって、
ユーザの端末装置から広告の配信要求を受信する要求受信ステップと、
前記記憶部に記憶されている前記検索情報と前記要求受信ステップにおいて受信した前記配信要求に設定されている検索条件との合致を判断し、合致すると判断された前記検索情報に対応付けられた前記広告データを配信対象として特定する検索ステップと、
前記検索ステップにおいて特定した配信対象の前記広告データの表示優先度をランダムに決定する表示優先度決定ステップと、
配信対象の前記広告データに、前記表示優先度決定ステップにおいて決定した当該広告データの前記表示優先度を付加して前記端末装置に配信し、配信した前記広告データを前記表示優先度に従って表示させる配信ステップと、
を有することを特徴とする広告配信方法。
【請求項８】
広告配信装置として用いられるコンピュータを、
広告データと検索情報とを対応付けて記憶する記憶部、
ユーザの端末装置から広告の配信要求を受信する要求受信部、
前記記憶部に記憶されている前記検索情報と前記要求受信部が受信した前記配信要求に設定されている検索条件との合致を判断し、合致すると判断された前記検索情報に対応付けられた前記広告データを配信対象として特定する検索部、
前記検索部が特定した配信対象の前記広告データの表示優先度をランダムに決定する表示優先度決定部、
配信対象の前記広告データに、前記表示優先度決定部が決定した当該広告データの前記表示優先度を付加して前記端末装置に配信し、配信した前記広告データを前記表示優先度に従って表示させる配信部、
として機能させるプログラム。
【発明の詳細な説明】
【技術分野】
【０００１】
本発明は、広告配信装置、広告配信方法、及びプログラムに関する。
【背景技術】
【０００２】
現在、スーパーマーケット、家電製品の量販店等の店舗では、広告の媒体として、新聞等と一緒に配達される折り込みチラシを利用している。また、印刷物である折り込みチラシの他に、広告情報を電子化し、電子チラシとしてネットワークを介して配信するサービスも利用されている。例えば、広告とコンテンツとを含むウェブページを生成して端末装置に送信するシステムが開示されている（例えば、特許文献１参照）。
【先行技術文献】
【特許文献】
【０００３】
【特許文献１】特開２００８−０４６９８７号公報
【発明の概要】
【発明が解決しようとする課題】
【０００４】
電子チラシなどの広告データを配信する広告配信装置は、配信対象の広告データが複数ある場合、所定の条件によって広告データを順位付けし、その順位に従って広告データを配信して端末装置に表示させる。通常、ユーザは、広告配信装置が端末装置に配信した複数の広告データを、端末装置に表示される順に閲覧する。しかしユーザは、目的の広告データや、気に入った広告データを閲覧した後、残りの広告データの閲覧を止めてしまうことがあり、広告データの配信数が多いときにはその傾向が顕著である。このことから、各店舗の広告データがユーザに閲覧される機会が公平にならないという問題がある。
【０００５】
本発明は、このような事情を考慮してなされたもので、端末装置に配信された各広告データがユーザに閲覧される機会を公平に近づけることができる広告配信装置、広告配信方法、及びプログラムを提供する。
【課題を解決するための手段】
【０００６】
上記目的を達成するために、請求項１に記載の発明は、広告データと検索情報とを対応付けて記憶する記憶部と、ユーザの端末装置から広告の配信要求を受信する要求受信部と、前記記憶部に記憶されている前記検索情報と前記要求受信部が受信した前記配信要求に設定されている検索条件との合致を判断し、合致すると判断された前記検索情報に対応付けられた前記広告データを配信対象として特定する検索部と、前記検索部が特定した配信対象の前記広告データの表示優先度をランダムに決定する表示優先度決定部と、配信対象の前記広告データに、前記表示優先度決定部が決定した当該広告データの前記表示優先度を付加して前記端末装置に配信し、配信した前記広告データを前記表示優先度に従って表示させる配信部と、を備えることを特徴とする広告配信装置である。
【０００７】
また、請求項２に記載の発明は、請求項１に記載の広告配信装置であって、前記配信部は、配信対象の前記広告データを前記表示優先度に応じて複数回に分けて前記端末装置に配信する、ことを特徴とする。
【０００８】
また、請求項３に記載の発明は、請求項２に記載の広告配信装置であって、前記配信要求は、配信を要求する表示優先度の情報を含み、前記配信部は、前記配信対象の前記広告データのうち、前記配信要求に含まれている前記表示優先度の前記広告データを前記端末装置に配信する、ことを特徴とする。
【０００９】
また、請求項４に記載の発明は、請求項１から請求項３にいずれか１項に記載の広告配信装置であって、前記記憶部は、前記広告データの登録日時あるいは掲載開始日時をさらに記憶し、前記検索部は、合致すると判断された前記検索情報と対応付けられ、かつ、前記登録日時あるいは前記掲載開始日時が前記配信要求を受信した時間帯に対応した時刻以降である前記広告データを配信対象として特定する、ことを特徴とする。
【００１０】
また、請求項５に記載の発明は、請求項１から請求項４にいずれか１項に記載の広告配信装置であって、前記表示優先度決定部は、特定した配信対象の前記広告データの表示優先度を前記ユーザが属するカテゴリ毎にランダムに決定する、ことを特徴とする。
【００１１】
また、請求項６に記載の発明は、請求項１から請求項５のいずれか１項に記載の広告配信装置であって、前記表示優先度決定部は、配信対象の前記広告データを優先度別の表示カテゴリに分類し、前記表示カテゴリ間の優先度を維持しながら、配信対象の前記広告データの表示優先度を分類した前記表示カテゴリ毎にランダムに決定する、ことを特徴とする。
【００１２】
また、上記目的を達成するために、請求項７に記載の発明は、広告データと検索情報とを対応付けて記憶する記憶部を備えた広告配信装置が実行する広告配信方法であって、ユーザの端末装置から広告の配信要求を受信する要求受信ステップと、前記記憶部に記憶されている前記検索情報と前記要求受信ステップにおいて受信した前記配信要求に設定されている検索条件との合致を判断し、合致すると判断された前記検索情報に対応付けられた前記広告データを配信対象として特定する検索ステップと、前記検索ステップにおいて特定した配信対象の前記広告データの表示優先度をランダムに決定する表示優先度決定ステップと、配信対象の前記広告データに、前記表示優先度決定ステップにおいて決定した当該広告データの前記表示優先度を付加して前記端末装置に配信し、配信した前記広告データを前記表示優先度に従って表示させる配信ステップと、を有することを特徴とする広告配信方法である。
【００１３】
また、上記目的を達成するために、請求項８に記載の発明は、広告配信装置として用いられるコンピュータを、広告データと検索情報とを対応付けて記憶する記憶部、ユーザの端末装置から広告の配信要求を受信する要求受信部、前記記憶部に記憶されている前記検索情報と前記要求受信部が受信した前記配信要求に設定されている検索条件との合致を判断し、合致すると判断された前記検索情報に対応付けられた前記広告データを配信対象として特定する検索部、前記検索部が特定した配信対象の前記広告データの表示優先度をランダムに決定する表示優先度決定部、配信対象の前記広告データに、前記表示優先度決定部が決定した当該広告データの前記表示優先度を付加して前記端末装置に配信し、配信した前記広告データを前記表示優先度に従って表示させる配信部、として機能させるプログラムである。
【発明の効果】
【００１４】
請求項１、７、及び８の発明によれば、広告配信装置は、各ユーザが指定した検索条件に合致する広告データを配信する際、配信する広告データの表示優先度をランダムに決定する。従って、表示優先度順による閲覧機会の不均衡を低減し、広告データがユーザに閲覧される機会を公平に近づけることができる。
請求項２の発明によれば、広告配信装置は、ユーザが指定した検索条件に合致する広告データを、表示優先度を保持しながら複数回に分けて配信するため、端末装置との間の１回当たりの通信時間が減少する。さらには、全ての広告データを配信する前に配信が中止されることもあるため、閲覧されない広告データを配信するためにかかっていた通信時間も減少する。従って、あるユーザの端末装置に配信対象の広告データ全てを配信してから、次のユーザの端末装置に配信対象の広告データ全てを配信することを繰り返す場合と比較して、総通信時間が減少するともに、短い時間の中でより多くのユーザに広告データを配信することができる。
請求項３の発明によれば、広告配信装置は、各ユーザに配信済みの広告データの情報を保持する必要がないため、記憶領域を圧迫しないようにすることができる。
請求項４の発明によれば、配信要求に設定されている検索条件が同じであれば、同じ時間帯に受信した配信要求については同一の広告データが得られ、各ユーザの端末装置には得られた広告データがランダムな表示優先度順で配信される。よって、広告データの掲載開始時刻の設定や登録を行う時刻を広告主が詳細に調整する手間を軽減することができる。
請求項５の発明によれば、広告配信装置は、ユーザ全体として、表示優先度順による閲覧機会の不均衡を低減しながらも、検索条件及びカテゴリが同じユーザに対しては同じ表示優先度で広告データを端末装置に表示させることができる。
請求項６の発明によれば、広告配信装置は、カテゴリ間での表示の優先度を維持しながらも、同じカテゴリに属する広告データについては表示優先度順による閲覧機会の不均衡を低減することができる。
【図面の簡単な説明】
【００１５】
【図１】本発明の一実施形態である広告配信システムの構成図である。
【図２】広告配信装置１の機能ブロック図の一例である。
【図３】記憶部１１に記憶される情報の一例である。
【図４】広告配信装置１が配信する配信データの一例である。
【図５】端末装置４の機能ブロック図の一例である。
【図６】記憶部４３に記憶される情報の一例である。
【図７】端末装置４の外観を示す模式図である。
【図８】表示画面４０における表示例である。
【図９】広告配信装置１の動作の一例を示すフローチャートである。
【図１０】端末装置４の動作の一例を示すフローチャートである。
【図１１】端末装置４の動作の一例を示すフローチャートである。
【図１２】表示画面４０における表示例である。
【図１３】表示画面４０における表示例である。
【図１４】表示画面４０における表示例である。
【図１５】表示画面４０における表示例である。
【図１６】表示画面４０における表示例である。
【図１７】表示画面４０における表示例である。
【図１８】表示画面４０における表示例である。
【図１９】表示画面４０における表示例である。
【図２０】表示画面４０における表示例である。
【図２１】表示画面４０における表示例である。
【図２２】表示画面４０における表示例である。
【図２３】表示画面４０における表示例である。
【図２４】表示画面４０における表示例である。
【発明を実施するための形態】
【００１６】
以下、本発明の一実施形態について図面を参照して詳細に説明する。
図１は、本実施形態による広告配信システムの構成図である。同図に示すように、広告配信システムは、広告配信会社の広告配信装置１と複数のユーザの端末装置４とをネットワーク９により接続して構成される。ネットワーク９は、例えば、インターネット網である。広告配信装置１は、表示優先度を付加した広告データを端末装置４に配信し、端末装置４は、表示優先度に従って広告データを表示する。表示優先度はランダムに決定される。広告配信装置１から、１台の端末装置４に対して１度にまとめて配信される広告データの数（同時配信数）が限られている場合、端末装置４は広告の配信要求を複数回に分けて広告配信装置１に送信し、広告配信装置１は、端末装置４から広告の配信要求を受信する度に、表示優先度が高い順に所定数ずつ広告データを配信する。以下では、１台の端末装置４への同時配信数が限られている場合について説明する。
【００１７】
図２は、広告配信装置１の機能ブロック図の一例である。広告配信装置１は、１台または複数台のコンピュータサーバにより実現され、同図に示すように、記憶部１１、送受信部１２、要求受信部１３、検索部１４、表示優先度決定部１５、及び配信部１６を備えて構成される。
【００１８】
記憶部１１は、種々の情報を記憶する。例えば、記憶部１１は、広告主の各店舗を管理する店舗管理情報と、広告データを記憶する。ここでは、広告データは、電子チラシの画像データであるチラシ画像とする。ここで「電子チラシ」とは広告実施店舗が取扱っている商品または提供している役務に関する画像情報、文字情報、および音声情報等を含む電子化された広告宣伝情報を意味するものである。また広告実施店舗毎に開催されるフェアや、キャンペーン情報等、特定の商品や役務に限られない販売促進情報が含まれていてもよい。チラシ画像には、当該チラシ画像の掲載開始日時または登録日時の情報が付加される。店舗管理情報には、各店舗の店舗詳細情報、店舗位置情報、検索情報、チラシ画像を特定する情報などが含まれる。店舗詳細情報は、店舗に関する詳細な情報であり、例えば、店舗名や住所などが含まれる。店舗位置情報は、店舗の所在地を示す。検索情報は、ユーザに配信するチラシ画像を検索する際に用いられる情報である。
【００１９】
送受信部１２は、ネットワーク９を介して端末装置４とデータを送受信する。要求受信部１３は、検索条件及び配信要求対象特定情報が設定された配信要求を、送受信部１２を介して端末装置４から受信する。検索条件は、ユーザが配信を希望する電子チラシを検索するために用いられる条件を示す。配信要求対象特定情報は、端末装置４が配信を要求するチラシ画像の表示優先度を示す。例えば、チラシ画像の同時配信数がｐの場合、ｎ回目の配信要求に設定される配信要求対象特定情報には、表示優先度の範囲「（ｎ−１）×ｐ＋１〜ｎ×ｐ」を示す値が設定される。この場合、例えば、配信要求対象特定情報には、表示優先度の範囲「（ｎ−１）×ｐ＋１〜ｎ×ｐ」を設定してもよく、広告配信装置１と端末装置４との間で同時配信数ｐが既知の場合は、表示優先度「（ｎ−１）×ｐ＋１」を設定してもよく、何回目の配信要求であるかを示す「ｎ」を設定してもよい。検索部１４は、店舗管理情報の検索情報を参照し、受信した配信要求に設定されている検索条件に合致する店舗を広告配信店舗として特定する。さらに検索部１４は、特定した広告配信店舗のチラシ画像の中から配信対象のチラシ画像を掲載開始日時または登録日時に基づいて抽出する。表示優先度決定部１５は、検索部１４が抽出した配信対象のチラシ画像の表示優先度を、所定の条件下でランダムに決定する。配信部１６は、検索部１４が抽出した配信対象のチラシ画像のうち、表示優先度決定部１５により決定された表示優先度が、配信要求対象特定情報が示す表示優先度の範囲と合致するチラシ画像を抽出する。配信部１６は、抽出したチラシ画像と、当該チラシ画像について決定された表示優先度の情報と、チラシ総数とを含んだ配信データを生成し、生成した配信データを送受信部１２に出力して端末装置４への配信を指示する。チラシ総数には、検索部１４が抽出した配信対象のチラシ画像の総数が設定される。
【００２０】
なお、本実施形態では、広告配信装置１は、要求受信部１３が端末装置４から配信要求を受信したときに配信データを生成して配信するプル型の配信を行う場合について説明するが、要求受信部１３が端末装置４から配信要求を受信した後、所定の時間ごとに配信データを生成して配信するプッシュ型の配信を行ってもよい。
【００２１】
図３は、記憶部１１に記憶される店舗管理情報の一例である。
店舗管理情報は、広告主ＩＤ、広告主、店舗ＩＤ、店舗詳細情報、店舗位置情報、検索情報、チラシ画像ＩＤ等を対応付けた情報を含む。
広告主ＩＤは、広告主を識別するための任意の情報であり、広告主は、電子チラシの配信の依頼主である。店舗ＩＤは、広告主が広告を行う対象としている店舗を識別するための任意の情報である。１つの広告主に対して、１または複数の店舗が対応する。店舗詳細情報は、店舗名や住所などの店舗に関する情報を含む。店舗位置情報は、店舗の所在地を示し、地図上の店舗の位置（座標）でもよく、緯度・経度などでもよい。
【００２２】
検索情報は、ユーザが配信を希望する電子チラシを検索するために参照する情報である。この検索情報の一例としては、例えば、電子チラシの配信先の地域を指定するエリア特定情報、目標物の名称、店舗や商品を分類するカテゴリなどである。
エリア特定情報は、例えば、郵便番号または住所（地域名称、例えば都道府県名・市町村名等でもよい）、あるいは、電話番号の一部の桁を用いることができる。その他にも特定名称、コード等一定の地域を指定できるものであれば上記のものに限られない。また、エリア特定情報に店舗位置情報を用いてもよい。この場合、店舗位置情報で示される店舗所在地から任意の距離範囲（例えば、店舗から１０ｋｍ圏内等）のエリアを電子チラシの配信先の地域とする。
目標物の名称は、例えば、駅名、店舗名等である。
カテゴリは、例えば、店舗を分類するカテゴリである場合には、スーパーマーケットや家電品販売店、食品販売店、飲食店等であり、商品を分類するカテゴリであれば、家電品、食品、家具、生活雑貨などである。
同図においては、検索情報として郵便番号を用いる場合が図示されている。
【００２３】
チラシ画像ＩＤは、チラシ画像を識別する情報である。チラシ画像には、例えば、折り込みチラシとして紙媒体に印刷される画像データや、印刷された折り込みチラシをスキャナによって読み取ったデータを用いることができる。１つの店舗に対して、１または複数のチラシ画像ＩＤが対応し得る。
【００２４】
図４は、配信部１６により生成され、端末装置４に配信される配信データの一例である。図４（ａ）、図４（ｂ）はそれぞれ、同じ端末装置４への１回目の配信データ、２回目の配信データの一例を示す。同図では、チラシ総数が「６」であり、チラシ画像の同時配信数ｐが「５」である場合の例を示している。
配信データは、チラシ総数と、配信済表示優先度情報と、１以上のチラシ画像と、各チラシ画像の表示優先度及び表示店舗情報とを含む。チラシ総数は、配信対象の検索条件に合致したチラシ画像の総数を示す。配信済表示優先度情報は、当該配信データにより配信済みとなるチラシ画像の表示優先度を示す。例えば、配信済表示優先度情報には、当該配信データで配信されるチラシ画像のうち最も低い表示優先度を設定してもよく、当該配信データで配信されるチラシ画像の表示優先度の範囲を設定してもよく、同時配信数ｐが広告配信装置１と端末装置４との間で既知であれば、ｎ回目の配信データであることを示す「ｎ」を設定してもよい。配信済表示優先度情報に「ｎ」を設定する場合、端末装置４において、表示優先度「ｎ×ｐ」とチラシ総数のうち、いずれか小さいほうまでが配信されたことを認識する。また、端末装置４において配信データ内に設定されているチラシ画像の表示優先度の中で最も低い表示優先度を取得することで、配信済表示優先度情報の設定を省略することができる。表示店舗情報は、広告実施店舗に関してユーザに提供する情報であり、例えば、店舗名である。
【００２５】
図５は、端末装置４の機能ブロック図の一例である。端末装置４は、例えば、スマートフォンやタブレット端末、パーソナルコンピュータなどのコンピュータ端末であって、図５に示すように、表示画面（表示部）４０、配信要求部４１、送受信部４２、記憶部４３、表示制御部４４、操作受付部４５、分類部４６、及び、計時部４７を備えて構成される。本実施形態では、端末装置４がスマートフォンである場合について説明する。
【００２６】
表示画面４０は、略矩形であって、表示制御部４４の制御に従って、種々の情報を表示する。本実施形態では、表示画面４０は、タッチセンサを配したタッチセンサ画面であって、ユーザによる接触を検知する。配信要求部４１は、検索条件及び配信要求対象特定情報を設定した配信要求を送受信部４２に出力し、広告配信装置１へ送信するよう指示する。送受信部４２は、ネットワーク９を介して、種々の情報を送受信する。例えば、送受信部４２は、配信要求部４１が送信を指示した配信要求を広告配信装置１に送信する。また、送受信部４２は、配信要求に対応して広告配信装置１から送信されたチラシ画像の配信データを受信する。操作受付部４５は、表示画面４０に配されているタッチセンサを介してユーザから種々の操作を受け付ける。
【００２７】
記憶部４３は、種々の情報を記憶する。例えば、記憶部４３は、送受信部４２によって受信された配信データを記憶する。より詳細には、配信データと、この配信データに含まれる各チラシ画像が、未分類、分類済の何れであるかの状態を表す情報とを記憶する。なお、分類済には、ユーザからの指示に応じて表示する可能性があるチラシ画像であることを示す「閲覧必要」と、今後表示する可能性がないチラシ画像であることを示す「閲覧不要」とがある。
【００２８】
図６は、記憶部４３に記憶される情報の一例である。図６（ａ）は、１回目の配信データを受信した後の設定例を示しており、図６（ｂ）は、２回目の配信データを受信した後の設定例を示す。同図に示すように、記憶部４３は、配信データに含まれるチラシ総数及び配信済表示優先度と、チラシ画像、表示優先度、及び表示店舗情報とを記憶し、各チラシ画像に、「未分類」「分類済（閲覧必要）」「分類済（閲覧不要）」の何れかの状態を表す情報を対応付けて記憶する。チラシ総数及び配信済表示優先度は配信データを受信する度に更新され、チラシ画像、状態を表す情報、表示優先度、及び表示店舗情報は、配信データを受信する度に追加される。なお、これらの情報は、配信要求部４１が１回目の配信要求を送信した時、あるいは、１回目の配信要求に対応して広告配信装置１から送信された配信データの受信時にクリアされる。
【００２９】
未分類のチラシ画像とは、送受信部４２によって受信され、分類部４６によって未だ分類されていないチラシ画像である。閲覧必要のチラシ画像とは、操作受付部４５から入力されるユーザの指示に従い、分類部４６によってユーザにとって有用なもの、即ち、広告内容に興味があって閲覧に値するものに分類されたチラシ画像である。閲覧不要のチラシ画像とは、分類部４６によってユーザにとって無用なもの、即ち、広告内容に興味がなく閲覧に値しないものに分類されたチラシ画像である。なお、分類部４６による分類については後述する。
【００３０】
なお、チラシ画像に有効期限が設定されていた場合、有効期限を過ぎたときに、記憶部４３から消去（削除）してもよい。なお、チラシ画像の消去に関しては後述する。
【００３１】
表示制御部４４は、表示画面４０の表示を制御し、分類作業画面表示制御部４４１、及び分類結果表示制御部４４２を備えて構成される。
【００３２】
分類作業画面表示制御部４４１は、記憶部４３に記憶されたチラシ画像と、そのチラシ画像に対応した表示店舗情報との表示画面４０への表示を制御する。即ち、分類作業画面表示制御部４４１は、未分類のチラシ画像を表示優先度が高い順に表示上限数を超えない数だけ記憶部４３から読み出す。分類作業画面表示制御部４４１は、読み出したチラシ画像を表示画面４０の夫々の表示位置（夫々の表示位置とは、所定の、ランダムに定めた、あるいは、表示優先度に応じた初期位置、又は、初期位置から移動した移動後の位置である）に表示させる。換言すれば、分類作業画面表示制御部４４１は、表示対象の各チラシ画像に対応付けて表示画面４０上の現在の表示位置（初期位置又は移動後の位置）を記憶している。なお、チラシ画像を重ねて表示する場合、初期の重なり順は表示位置とは別に表示優先度に基づいて決定される。
分類作業画面表示制御部４４１は、表示画面４０に複数表示させているチラシ画像の中から操作受付部４５により一のチラシ画像の選択操作を受け、その選択操作を受けたチラシ画像（以下、「選択チラシ画像」と記載する。）の表示位置を移動させる移動操作を受け付けた場合、移動操作に応じて表示画面４０上のチラシ画像の表示位置を移動させる。表示位置の移動先に応じて分類部４６が選択チラシ画像を閲覧必要または閲覧不要に分類した場合、分類作業画面表示制御部４４１は、分類された選択チラシ画像を表示画面４０から消去し、現在表示されているチラシ画像を除いた未分類のチラシ画像のうち表示優先度が最も高いチラシ画像を記憶部４３から読み出して表示画面４０に表示させる。
また、分類作業画面表示制御部４４１は、チラシ総数と、未分類のチラシ画像の数を表示画面４０に表示させる。
【００３３】
分類結果表示制御部４４２は、チラシ画像の分類結果を表示する。分類結果表示制御部４４２は、表示画面４０に、分類されたチラシ画像を１つずつ表示させる。
【００３４】
分類部４６は、操作受付部４５によって受け付けた選択チラシ画像の表示位置の移動先に応じて、チラシ画像を閲覧必要と閲覧不要とに分類する。分類部４６による分類結果は、記憶部４３に反映される。例えば、分類部４６は、ある「未分類」のチラシ画像について、「閲覧必要」に分類したときは、記憶部４３に記憶されている当該チラシ画像の状態を表す情報を「未分類」から「閲覧必要」に更新し、「閲覧不要」に分類したときは記憶部４３に記憶されている当該チラシ画像の状態を表す情報を「未分類」から「閲覧不要」に更新する。
【００３５】
計時部４７は、内部のクロックに基づいて計時する。この計時結果に基づいて、有効期限が設定されているチラシ画像は、有効期限を過ぎたときに記憶部４３から消去される。
なお、チラシ画像の消去は、記憶部４３自身が、計時部４７の計時結果に従って、行ってもよいし、計時部４７が行ってもよい。
【００３６】
図７は、端末装置４の外観を示す模式図である。同図を用いて、チラシの分類操作について説明する。同図では、表示画面４０に選択チラシ画像のみを示しており、他のチラシ画像については省略している。
ユーザが、分類作業画面表示制御部４４１により表示画面４０に表示させているチラシ画像の中から一のチラシ画像の表示領域に指で触れた場合、操作受付部４５は、そのチラシ画像を選択した操作として受け付ける。操作受付部４５がこの操作により選択された選択チラシ画像を特定する情報を表示制御部４４に出力すると、分類作業画面表示制御部４４１は、その情報で示される選択チラシ画像に対応した表示店舗情報（例えば、店舗名）を表示画面４０に表示させる。
【００３７】
操作受付部４５は、選択チラシ画像の表示位置を移動させる移動操作を受け付ける。具体的には、ユーザが、表示画面４０上において一のチラシ画像の表示領域に指で触れて選択し、触れたままの状態で指が触れている位置を移動させた場合、操作受付部４５は、タッチセンサを介して、選択チラシ画像に触れたまま指を移動させている旨を認識し、当該選択チラシ画像の表示位置を指の動きに連れて移動させる移動操作として受け付ける。
【００３８】
操作受付部４５は、選択チラシ画像の表示位置を移動させる移動操作を受け付けた場合、移動操作の対象となっている選択チラシ画像を特定する情報と、移動操作の内容を表す情報である移動操作内容を分類作業画面表示制御部４４１及び分類部４６に出力する。ここで、移動操作内容とは、表示画面４０上の移動速度、即ち、移動方向、移動量等である。
【００３９】
分類作業画面表示制御部４４１は、移動操作に応じて選択チラシ画像の表示位置を移動させ、当該選択チラシ画像の少なくとも一部を第１領域上に表示させるように制御したとき、即ち、表示画面４０の第１領域上に当該選択チラシ画像の少なくとも一部が表示されたときに、分類部４６は、当該選択チラシ画像の移動先は第１領域であると判断し、当該選択チラシ画像を第１の画像（閲覧必要）に分類する。
【００４０】
また、分類部４６は、選択チラシ画像の移動先が表示画面４０の第１領域と異なる所定の第２領域（後述）である場合、当該選択チラシ画像を第２の画像（閲覧不要）に分類する。より詳細には、分類作業画面表示制御部４４１が、移動操作に応じて選択チラシ画像の表示位置を移動させ、当該選択チラシ画像の少なくとも一部を第２領域上に表示させるように制御したとき、分類部４６は、当該選択チラシ画像の移動先は第２領域であると判断し、当該選択チラシ画像を第２の画像（閲覧不要）に分類する。
【００４１】
なお、分類部４６は、移動操作に応じて選択チラシ画像の表示位置を移動させる分類作業画面表示制御部４４１が当該選択チラシ画像の少なくとも一部を第１領域上に表示させるように制御したときではなく、タッチセンサを介して指の動きを認識する操作受付部４５が、選択チラシ画像に触れたまま移動している指の画面上の位置が第１領域上であることを認識したときに、当該選択チラシ画像の移動先は第１領域であると判断し、当該選択チラシ画像を第１の画像（閲覧必要）に分類するようにしてもよい。
選択チラシ画像を第２の画像（閲覧不要）に分類する場合も同様に、分類部４６は、操作受付部４５が、選択チラシ画像に触れたまま移動している指の画面上の位置が第２領域上であることを認識したときに、当該選択チラシ画像の移動先は第２領域であると判断し、当該選択チラシ画像を第２の画像（閲覧不要）に分類するようにしてもよい。
【００４２】
上述の第１領域は、例えば、選択チラシ画像の表示画面４０上の移動範囲を規定する所定の一辺に沿った端部の領域である。また、上述の第２領域は、例えば、選択チラシ画像の表示画面４０上の移動範囲を規定する所定の一辺以外の他の辺に沿った端部の領域である。
【００４３】
例えば、図７において、表示画面４０上のチラシ画像Ｐの移動範囲（領域４０ａ、領域４０ｂ及び領域４０ｃを含む範囲。太枠部分）を規定する所定の一辺Ｒに沿った端部の領域４０ａが、第１領域である。また、図７において、移動範囲（４０ａ、４０ｂ及び４０ｃ）を規定する所定の一辺Ｒ以外の他の辺Ｓ、辺Ｔ、辺Ｕに沿った端部の領域４０ｃが、第２領域である。
なお、図７において、領域４０ｂは、未分類のチラシ画像を表示する分類作業領域である。また、領域４０ｄ、領域４０ｅは、メッセージを表示する領域である。また、この図において、例えば辺Ｒは、左辺に割り当てられている。また辺Ｓが上辺、辺Ｔが右辺、辺Ｕが下辺に割り当てられており、これら３辺に沿って領域４０ｃが割り当てられている。
以下、領域４０ａを第１領域４０ａ、領域４０ｂを分類作業領域４０ｂ、領域４０ｃを第２領域４０ｃ、領域４０ｄをメッセージ表示領域４０ｄとも記載する。
【００４４】
なお、分類作業画面表示制御部４４１は、第１領域上に選択チラシ画像が移動してきたときに、第１領域である旨を明示的に表示するようにしてもよい。つまり、分類作業画面表示制御部４４１は、第１領域上にチラシ画像を表示していないときは第１領域を明示的に表示せずに、第１領域上にチラシ画像を表示しているときに第１領域を明示的に表示するようにしてもよい。
【００４５】
また、分類作業画面表示制御部４４１は、分類部４６によって第１の画像に分類されたチラシ画像を識別する情報を第１領域に表示するようにしてもよい。つまり、分類作業画面表示制御部４４１は、既に「閲覧必要」として記憶部４３に記憶されているチラシ画像を識別する情報（例えば、画像ファイル名、広告店舗名、それらを示すアイコン）を第１領域に表示するようにしてもよい。
【００４６】
続いて、端末装置４において、チラシ画像を分類する画面に至る迄の画面の遷移について説明する。図８は、表示画面４０における表示例である。
端末装置４は、表示制御部４４の制御によってアイコンＩ１の表示中に（図８の（ｉ））、操作受付部４５によってアイコンＩ１のタッチを検知した場合、表示制御部４４の制御によってメニュー画面（図８の（ｉｉ））を表示する。メニュー画面には、「今日のチラシを見る」と表示されたボタンＢ１、今日のチラシ総数を示すアイコンＩ２などが配置されている。
【００４７】
端末装置４は、操作受付部４５によってメニュー画面上のボタンＢ１のタッチを検知した場合、表示制御部４４の制御によって、チラシ画像のチェック（分類）の開始画面（図８の（ｉｉｉ））を表示する。端末装置４は、操作受付部４５によって開始画面上の「ＯＫ」ボタンのタッチを検知した場合、分類作業画面表示制御部４４１の制御によって、今日のチラシ画像のうち表示優先度の高いものから所定数（同図では３）のチラシ画像をランダムな表示位置に表示したチェック画面（図８の（ｉｖ））を表示する。このとき、分類作業画面表示制御部４４１は、表示優先度の高いチラシ画像ほど重なり順が上になるように表示させる。
【００４８】
また、端末装置４は、上述のメニュー画面（図８の（ｉｉ））から開始画面（図８の（ｉｉｉ））へ遷移に代えて又は加えて、報知画面（図８の（ｖ））から開始画面（図８の（ｉｉｉ））へ遷移させても良い。つまり、端末装置４は、送受信部４２が配信データを受信したときに、表示制御部４４の制御によって、チラシ画像の受信を報知する報知画面を表示し、操作受付部４５によって報知画面上の「みる」ボタンのタッチを検知した場合、開始画面（図８の（ｉｉｉ））を表示するようにしてもよい。
【００４９】
次に、広告配信システムの動作について説明する。
図９は、広告配信装置１の動作の一例を示すフローチャートである。
広告配信装置１の送受信部１２は、ネットワーク９を介して端末装置４から配信要求を受信し、要求受信部１３に出力する（ステップＳ１０５）。要求受信部１３は、受信した配信要求から検索条件及び配信要求対象特定情報を読み出すと、検索条件を検索部１４に出力し、配信要求対象特定情報を配信部１６に出力する。一方、プッシュ型の配信を行う場合、要求受信部１３は、配信要求を記憶部１１に記憶しておき、所定の時間ごとに、記憶部１１に記憶されている配信要求から検索条件及び配信要求対象特定情報を読み出し、検索部１４、配信部１６にそれぞれ出力する。
【００５０】
検索部１４は、店舗管理情報の検索情報を参照し、要求受信部１３から入力された検索条件に合致する検索情報に対応した店舗を広告配信店舗として特定する。例えば、検索条件がユーザ位置情報であり、検索情報に郵便番号を用いる場合、検索部１４は、ユーザ位置情報を郵便番号に変換し、変換した郵便番号が検索情報に含まれる店舗を広告配信店舗として特定する。あるいは、検索部１４は、検索情報が店舗位置情報である場合、ユーザ位置情報と店舗位置情報とから算出した距離が所定以内である店舗を広告配信店舗として特定する（ステップＳ１１０）。
【００５１】
検索部１４は、ステップＳ１１０において特定した広告配信店舗のチラシ画像ＩＤを店舗管理情報から読み出す。検索部１４は、読み出したチラシ画像ＩＤにより特定されるチラシ画像の中から、掲載開始時刻または登録日時が、配信要求を受信した時間帯に基づいて定められる時刻以降であるチラシ画像を配信対象のチラシ画像として抽出する(ステップＳ１１５）。例えば、検索部１４は、配信要求を時間帯Ｚ１（Ｔ０時〜Ｔ１時）に受信した場合は掲載開始時刻または登録日時が前日の時刻Ｔ４以降、時間帯Ｚ２（Ｔ１時〜Ｔ２時）に受信した場合は前日の時刻Ｔ５以降、時間帯Ｚ３（Ｔ２時〜Ｔ０時）に受信した場合は当日の時刻Ｔ６以降であるチラシ画像を抽出する。これにより、例えばユーザαが同じ時間帯に配信要求対象特定情報が異なる配信要求を複数回送信した場合でも、検索条件に変更がなければ、同一のチラシ画像が抽出される。また、同じ時間帯にユーザα及びユーザβが同じ検索条件の配信要求を送信した場合も、同一のチラシ画像が抽出される。プッシュ型の配信を行う場合、配信要求を受信した時間帯に代えて、記憶部１１から配信要求を読み出した時刻が含まれる時間帯を用いる。
【００５２】
なお、チラシ画像には有効期限が設定されていてもよい。この有効期限は、電子チラシを閲覧できる期限を示す情報である。検索部１４は、広告配信店舗のチラシ画像ＩＤにより特定されるチラシ画像の中から、掲載開始時刻または登録日時が配信要求を受信した時間帯に基づいて定められる時刻以降であり、かつ、有効期限に現在日時が含まれるチラシ画像を抽出する。
【００５３】
表示優先度決定部１５は、パラメータを用いて発生させた乱数に基づいて順序をランダムに決定する既存のアルゴリズムを用いて、ステップＳ１１５において検索部１４が抽出したチラシ画像の表示優先度をランダムに決定する（ステップＳ１２０）。このアルゴリズムは、パラメータが同じであれば、同じ乱数を発生させる。これにより、ユーザαが同じ時間帯に配信要求対象特定情報が異なる配信要求を複数回送信した場合でも、検索条件に変更がなく、かつパラメータが配信要求の送信回数に依存しない情報であれば、同一のチラシ画像に対して同一の表示優先度が決定される。配信要求の送信回数に依存しない情報としては、例えば、ユーザ特定情報などユーザ毎に異なる情報や、ユーザのカテゴリを示す情報を用いることができる。また、同じ時間帯に複数のユーザが同じ検索条件の配信要求を送信した場合、同一のチラシ画像が抽出されるが、乱数発生のパラメータとしてユーザのカテゴリを示す情報を用いれば、表示優先度順は、カテゴリが異なるユーザ間では異なるが、同一のカテゴリのユーザについては同じとなる。ユーザ特定情報には、例えば、ユーザＩＤ、電話番号、端末装置４の端末ＩＤなどを用いることができ、ユーザのカテゴリを示す情報には、例えば、郵便番号、地域、電話番号の一部（市内局番等）、性別、年齢(年代）などを用いることができるが、他の情報を用いてもよい。ユーザ特定情報やユーザのカテゴリを示す情報は、端末装置４が配信要求に設定した情報を用いてもよく、配信要求に設定されている送信元ユーザを特定する情報に対応付けて予め記憶部１１に記憶させておいたユーザ情報から読み出してもよく、配信要求あるいはユーザ情報から読み出した情報を加工した情報であってもよい。例えば、検索条件が示す郵便番号、あるいは、検索条件が示すユーザ位置情報に対応した郵便番号を、ユーザのカテゴリを示す情報とすることができる。
表示優先度決定部１５は、検索部１４が抽出したチラシ画像のチラシ画像ＩＤと、当該チラシ画像について決定した表示優先度とを対応付けて配信部１６に出力する。
【００５４】
配信部１６は、表示優先度決定部１５より入力されたチラシ画像ＩＤの中から、配信要求対象特定情報が示す表示優先度の範囲に合致するチラシ画像ＩＤを抽出すると、抽出したチラシ画像ＩＤそれぞれにより特定されるチラシ画像を記憶部１１から読み出す。配信部１６は、読み出したチラシ画像と、当該チラシ画像について表示優先度決定部１５が決定した表示優先度と、表示店舗情報とを対応付けた配信データを生成する。本実施形態では、表示店舗情報には、記憶部１１に記憶されている店舗管理情報から読み出した広告配信店舗の店舗名が設定されるが、住所など店舗詳細情報内の他の情報をさらに設定してもよく、店舗ＩＤまたはチラシ画像ＩＤと対応付けて予め記憶部１１に記憶しておいたメッセージなどをさらに設定してもよい。配信部１６は、生成した配信データにチラシ総数と配信済表示優先度情報を設定すると、配信データを送受信部１２に出力して端末装置４への送信を指示し、送受信部１２は、ネットワーク９を介して端末装置４に配信データを送信する（ステップＳ１２５）。
【００５５】
図１０、及び図１１は、端末装置４の動作の一例を示すフローチャートである。
図１０において、まず、端末装置４の配信要求部４１が、電子チラシの配信を要求すべき予め決められた時刻であることを検出するか、操作受付部４５が、ユーザ操作によるチラシ画像取得指示の入力を検出すると(ステップＳ２０５）、配信要求部４１は、現在時刻が含まれるその日の時間帯において、すでに配信要求を送信しているか否かを判断する(ステップＳ２１０）。
【００５６】
配信要求部４１は、まだ配信要求を送信していないと判断した場合(ステップＳ２１０：ＮＯ）、検索条件と、表示優先度の範囲が「１〜ｐ」であることを示す配信要求対象特定情報とを設定した配信要求を送受信部４２に出力し、広告配信装置１への送信を指示する(ステップＳ２１５）。検索条件には、操作受付部４５によって予めユーザが入力した検索条件が設定される。なお、検索条件としてユーザ位置情報を用いる場合、ユーザ位置情報は、操作受付部４５によってユーザが入力した所在地の情報であってもよく、端末装置４が備えるＧＰＳ（Ｇｌｏｂａｌ Ｐｏｓｉｔｉｏｎｉｎｇ Ｓｙｓｔｅｍ）（非図示）が取得した情報であってもよい。送受信部４２は、ネットワーク９を介して配信要求を広告配信装置１へ送信する。
【００５７】
端末装置４の送受信部４２が、ステップＳ２１５において送信した１回目の配信要求に対応して広告配信装置１から１回目の配信データを受信すると、記憶部４３は、現在記憶されている配信データ（チラシ総数、配信済表示優先度情報、チラシ画像、各チラシ画像の表示優先度及び表示店舗情報）と、チラシ画像の状態を表す情報をクリアする。記憶されていたこれらの情報をクリアした後、記憶部４３は、受信した配信データに、各チラシ画像の状態を表す情報を付加して記憶する。状態を表す情報には、初期値として未分類が設定される（ステップＳ２２０）。
【００５８】
一方、ステップＳ２１０において、現在時刻が含まれるその日の時間帯において、すでに配信要求を送信していると判断した場合(ステップＳ２１０：ＹＥＳ）、配信要求部４１は、記憶部４３に記憶されている各チラシ画像の状態を表す情報を初期値の未分類に更新する(ステップＳ２２５）。
【００５９】
ステップＳ２２０またはステップＳ２２５の処理に続いて、分類作業画面表示制御部４４１は、図８の（ｉ）〜（ｉｉｉ）の画面遷移を表示させるよう制御した後、記憶部４３から表示優先度が高い順に未分類のチラシ画像を表示上限数まで読み出す（ステップＳ２３０）。分類作業画面表示制御部４４１は、読み出したチラシ画像の表示位置をランダムに決定するとともに、重なり順を表示優先度が高いほど上になるように決定する。分類作業画面表示制御部４４１は、図８（ｉｖ）のように、チラシ画像を優先度に応じた重なり順で、ランダムな位置に配置して表示画面４０の分類作業領域４０ｂに表示する（ステップＳ２３５）。さらに、分類作業画面表示制御部４４１は、表示画面４０のメッセージ表示領域４０ｄにチラシ総数と、未分類のチラシ画像の数を表示するように制御する。なお、分類作業画面表示制御部４４１は、未分類のチラシ画像の数を、記憶部４３に記憶されているチラシ総数から、記憶部４３に分類済みの状態に対応付けて記憶されているチラシ画像の数を減算して算出する。
【００６０】
操作受付部４５は、図８（ｉｖ）のような画面が表示された表示画面４０上において、一のチラシ画像についての選択操作を受けたか否かを判断する（ステップＳ２４０）。操作受付部４５は、選択操作を受けていないと判断した場合（ステップＳ２４０：ＮＯ）、ステップＳ２４０の処理を繰り返し、選択操作を待つ。
【００６１】
操作受付部４５が、一のチラシ画像についての選択操作を受けたと判断した場合（ステップＳ２４０：ＹＥＳ）、分類作業画面表示制御部４４１は、選択操作を受けた一のチラシ画像、すなわち、選択チラシ画像の向きを、表示画面４０の上下方向と一致するようにし、他のチラシ画像よりも手前に表示する（ステップＳ２４５）。さらに、分類作業画面表示制御部４４１は、選択チラシ画像に対応した表示店舗情報が示す店舗名を表示画面４０のメッセージ表示領域４０ｄに表示する。
【００６２】
図１１において、操作受付部４５は、選択チラシ画像について表示画面４０の第１領域への移動操作を受け付けたか否かを判断する（ステップＳ３０５）。操作受付部４５が、選択チラシ画像について表示画面４０の第１領域への移動操作を受け付けた場合（ステップＳ３０５：ＹＥＳ）、分類部４６は、未分類として記憶されていた当該選択チラシ画像を、閲覧必要として記憶するように記憶部４３を制御する（ステップＳ３１０）。また、分類作業画面表示制御部４４１は、表示画面４０の分類作業領域４０ｂから当該選択チラシ画像を消去するとともに（ステップＳ３１５）、表示画面４０の第１領域に当該選択チラシ画像を識別する情報を表示するように制御する（ステップＳ３２０）。さらに、分類作業画面表示制御部４４１は、表示画面４０のメッセージ表示領域４０ｄに表示させていた表示店舗情報を消去し、チラシ総数と、未分類のチラシ画像の数を表示するように制御する。
【００６３】
一方、ステップＳ３０５において、操作受付部４５は、選択チラシ画像について表示画面４０の第１領域への移動操作を受け付けなかった場合（ステップＳ３０５：ＮＯ）、操作受付部４５は、当該選択チラシ画像について、表示画面４０の第２領域への移動操作を受け付けたか否かを判断する（ステップＳ３２５）。
【００６４】
ステップＳ３２５において、操作受付部４５が、選択チラシ画像について表示画面４０の第２領域への移動操作を受け付けた場合（ステップＳ３２５：ＹＥＳ）、分類部４６は、未分類として記憶されていた当該選択チラシ画像を、閲覧不要として記憶するように記憶部４３を制御する（ステップＳ３３０）。また、分類作業画面表示制御部４４１は、表示画面４０の分類作業領域４０ｂから当該選択チラシ画像を消去するとともに、表示画面４０のメッセージ表示領域４０ｄに表示させていた表示店舗情報を消去し、チラシ総数と、未分類のチラシ画像の数を表示するように制御する（ステップＳ３３５）。
【００６５】
なお、ステップＳ３２５において、操作受付部４５が選択チラシ画像について表示画面４０の第２領域への移動操作を受け付けなかった場合（ステップＳ３２５：ＮＯ）、ステップＳ３４０に進む。
【００６６】
ステップＳ３２０、ステップＳ３２５（ＮＯ）、ステップＳ３３５に続いて、終了判定部（非図示）は、分類処理を終了するか否かを判断する（ステップＳ３４０）。例えば、未分類のチラシ画像が無くなった場合、ユーザから分類を終了する旨の操作を受け付けた場合に、終了判定部（非図示）は、分類処理を終了するか否かを判断する。終了判定部（非図示）が、分類処理を終了しないと判断した場合（ステップＳ３４０：ＮＯ）、分類作業画面表示制御部４４１は、表示画面４０に現在表示していない未分類のチラシ画像が記憶部４３に記憶されているかを判断する（ステップＳ３４５）。
【００６７】
表示画面４０に現在表示していない未分類のチラシ画像があると判断した場合（ステップＳ３４５：ＹＥＳ）、分類作業画面表示制御部４４１は、表示画面４０に表示していない未分類のチラシ画像のうち、最も表示優先度が高いチラシ画像を記憶部４３から読み出す（ステップＳ３５０）。分類作業画面表示制御部４４１は、表示位置をランダムに決定すると、ステップＳ３５０において読み出したチラシ画像を、決定した表示位置に、重なり順が最も下になるように表示画面４０の分類作業領域４０ｂに追加表示する（ステップＳ３５５）。
【００６８】
ステップＳ３５５の処理の後、あるいは、ステップＳ３４５において、分類作業画面表示制御部４４１が、表示画面４０に現在表示していない未分類のチラシ画像がないと判断した場合（ステップＳ３４５：ＮＯ）、配信要求部４１は、記憶部４３に記憶されているチラシ画像のうち、表示画面４０にまだ表示されていない未分類のチラシ画像が所定数以下であるか否かを判断する（ステップＳ３６０）。配信要求部４１が、表示画面４０に表示されていない未分類のチラシ画像の数が所定数よりも大きいと判断した場合（ステップＳ３６０：ＮＯ）、図１０のステップＳ２４０からの処理を繰り返す。
【００６９】
一方、ステップＳ３６０において、配信要求部４１は、表示画面４０に表示されていない未分類のチラシ画像が所定数以下であると判断した場合（ステップＳ３６０：ＹＥＳ）、記憶部４３を参照して、チラシ総数が配信済表示優先度よりも大きいか否かを判断する(ステップＳ３６５）。配信要求部４１は、チラシ総数が配信済表示優先度よりも大きいと判断した場合(ステップＳ３６５：ＹＥＳ）、検索条件と配信要求対象特定情報とを設定した配信要求を生成し、送受信部４２に出力して広告配信装置１への送信を指示する(ステップＳ３７０）。検索条件には、図１０のステップＳ２１５において送信した配信要求と同じ検索条件が設定される。また、配信要求対象特定情報には、記憶部４３に記憶されている配信済表示優先度が示す表示優先度よりも１大きい表示優先度を示す値から始まる範囲が設定される。例えば、配信済表示優先度が表示優先度「ｎ×ｐ」または「ｎ」回目の配信データを示す場合、配信要求対象特定情報には、表示優先度「ｎ×ｐ＋１」または「ｎ×ｐ＋１〜（ｎ＋１）×ｐ」、あるいは、「ｎ＋１」回目の配信要求を示す値が設定される。送受信部４２は、ネットワーク９を介して配信要求を広告配信装置１へ送信する。
【００７０】
ステップＳ３７０で配信要求を送信した後、端末装置４は、図１０のステップＳ２４０からの処理を行う。なお、ステップＳ２４０以降の処理を実行している間に、ステップＳ３７０において送信した配信要求に対応して広告配信装置１から配信データを受信した場合、記憶部４３は、現在記憶しているチラシ総数及び配信済表示優先度を、受信した配信データに設定されているチラシ総数及び配信済表示優先度により書き換える。さらに、記憶部４３は、受信した配信データに設定されているチラシ画像、表示優先度、及び表示店舗情報に、未分類を示す状態を表す情報を付加し、現在の記憶内容に追加して記憶する。
【００７１】
また、ステップＳ３６５において、チラシ総数が配信済表示優先度以下であると配信要求部４１が判断した場合(ステップＳ３６５：ＮＯ）、図１０のステップＳ２４０からの処理を繰り返す。
【００７２】
そして、ステップＳ３４０において、終了判定部（非図示）が、分類処理を終了すると判断したときは（ステップＳ３４０：ＹＥＳ）、本フローチャートは終了する。
なお、図１０、図１１の処理中、検索条件が変更された場合、あるいは、検索条件の変更後、チラシ画像取得指示が入力された場合、端末装置４は、ステップＳ２１５からの処理を開始する。
【００７３】
なお、図１０のステップＳ２１５において送信する１回目の配信要求では、配信要求対象特定情報の設定を省略してもよい。配信要求対象特定情報が設定されていない場合、広告配信装置１の要求受信部１３は、１回目の配信要求であると判断し、表示優先度の範囲「１〜ｐ」を示す配信要求対象特定情報を配信部１６に出力する。
【００７４】
続いて、具体例を用いて、図９〜図１１に示すフローチャートを更に説明する。図１２〜図１６は、表示画面４０における表示例である。なお、１度に配信されるチラシ画像の同時配信数ｐが「５」、表示上限数が「３」であり、１日が時間帯Ｚ１（時刻Ｔ０から時刻Ｔ１まで）、時間帯Ｚ２（時刻Ｔ１から時刻Ｔ２まで）、時間帯Ｚ３（時刻Ｔ２から時刻Ｔ０時まで）に分けられているとする。
【００７５】
時刻ｔ（Ｔ１≦ｔ＜Ｔ２）において、ユーザが端末装置４の操作受付部４５により配信要求送信指示を入力する(ステップＳ２０５）。配信要求部４１は、その日の時刻Ｔ１から時刻ｔまでに配信要求を送信していないと判断した場合（ステップＳ２１０：ＮＯ）、ユーザの所在地を示す検索条件と、表示優先度の範囲「１〜５」を示す配信要求対象特定情報とを設定した配信要求を広告配信装置１に送信する（ステップＳ２１５）。
【００７６】
広告配信装置１の検索部１４は、端末装置４から受信した配信要求を受信し（ステップＳ１０５）、受信した配信要求に設定されている検索条件が示すユーザの所在地を郵便番号に変換する。検索部１４は、変換した郵便番号に基づいて特定した広告配信店舗のチラシ画像の中から、掲載開始時刻または登録日時が時間帯Ｚ２に対応した時刻以降であるチラシ画像として、画像Ａ、画像Ｂ、画像Ｃ、画像Ｄ、画像Ｅ、画像Ｆを選択する(ステップＳ１１０、Ｓ１１５）。表示優先度決定部１５は、郵便番号をパラメータとして用いて発生させた乱数に基づいて、これらチラシ画像の表示優先度をランダムに決定する（ステップＳ１２０）。これにより、表示優先度決定部１５は、画像Ａの表示優先度を「１」、画像Ｂの表示優先度を「３」、画像Ｃの表示優先度を「４」、画像Ｄの表示優先度を「２」、画像Ｅの表示優先度を「６」、画像Ｆの表示優先度を「５」と決定する。
【００７７】
配信部１６は、配信要求の配信要求対象特定情報が示す表示優先度の範囲「１〜５」に合致する画像Ａ、画像Ｄ、画像Ｂ、画像Ｃ、画像Ｆと、これらチラシ画像それぞれの表示優先度及び表示店舗情報と、チラシ総数「６」を配信データに設定する。さらに、配信部１６は、画像Ａ、画像Ｄ、画像Ｂ、画像Ｃ、画像Ｆの中で最も低い表示優先度「５」を示す配信済表示優先度を配信データに設定する。これにより、配信部１６は、図４（ａ）に示す配信データを端末装置４に送信する(ステップＳ１２５）。
端末装置４の送受信部４２が、広告配信装置１から配信データを受信すると、記憶部４３が、図６（ａ）に示すようにデータを記憶する（ステップＳ２２５）。
【００７８】
分類作業画面表示制御部４４１は、図８（ｉｖ）に示すように、表示上限数「３」まで、表示優先度が高い順に未分類の画像Ａ、画像Ｄ、画像Ｂを読み出し(ステップＳ２３０）、チェック画面の分類作業領域４０ｂに、表示優先度が高いほど重なり順が上になるように、これらの画像をランダムな初期表示位置に表示する（ステップＳ２３５）。さらに、分類作業画面表示制御部４４１は、「未分類のチラシ画像の数／チラシ総数」を表す「６／６」をメッセージ表示領域４０ｄに表示する。
【００７９】
ユーザが、表示画面４０における画像Ａの表示領域に指で触れると、操作受付部４５は、画像Ａの選択操作を受け付けたと判断する（ステップＳ２４０：ＹＥＳ）。分類作業画面表示制御部４４１は、図１２（ｉ）に示すように、画像Ａの天地を調整して一番手前に表示し、画像Ａに対応した表示店舗情報（店舗名）をメッセージ表示領域４０ｄに表示する（ステップＳ２４５）。
【００８０】
図１２（ｉｉ）に示すように、操作受付部４５は、画像Ａについて第１領域４０ａへの移動操作を受け付けた場合（ステップＳ３０５：ＹＥＳ）、分類部４６は、未分類として記憶されていた画像Ａを、閲覧必要として記憶するように記憶部４３を制御する（ステップＳ３１０）。分類作業画面表示制御部４４１は、図１２（ｉｉｉ）に示すように、分類作業領域４０ｂから画像Ａを消去するとともに（ステップＳ３１５）、第１領域４０ａに画像Ａを識別する情報（アイコンＩａ）を表示するように制御する（ステップＳ３２０）。さらに、分類作業画面表示制御部４４１は、メッセージ表示領域４０ｄから表示店舗情報を消去し、未分類のチラシ画像の数を「５」に更新したメッセージを表示させるよう制御する。表示画面４０に現在表示していない未分類の画像Ｃ、Ｅが記憶部４３に記憶されているため（ステップＳ３４５：ＹＥＳ）、分類作業画面表示制御部４４１は、その未分類のチラシ画像のうち、最も表示優先度が高い画像Ｃを読み出す（ステップＳ３５０）。分類作業画面表示制御部４４１は、画像Ｃをランダムな表示位置に、重なり順が最も下になるように表示画面４０の分類作業領域４０ｂに追加表示するよう制御する（ステップＳ３５５）。
【００８１】
なお、図１２（ｉｉ）に示すように、分類作業画面表示制御部４４１は、第１領域４０ａ上にチラシ画像が移動してきたときに、第１領域である旨を明示的に表示している（説明の便宜上、明示的に表示している旨を斜線にて表しているが、実際には、斜線を用いて第１領域である旨を表示しなくてもよい。例えば、第１領域を他の領域と異なる色にて表示してもよい）。
【００８２】
配信要求部４１は、表示画面４０に現在表示していない未分類のチラシ画像の数が「１」であり、次の配信要求の送信を判断する閾値「０」よりも大きいため（ステップＳ３６０：ＮＯ）、配信要求は送信しない。操作受付部４５は、操作受付待ちとなる。
【００８３】
続いて、チェック画面の分類作業領域４０ｂに未分類の画像Ｄ、画像Ｂ、画像Ｃが表示されている場合に、ユーザが、表示画面４０における画像Ｂの表示領域に指で触れると、操作受付部４５は、画像Ｂの選択操作を受け付けたと判断する（ステップＳ２４０：ＹＥＳ）。分類作業画面表示制御部４４１は、図１３（ｉ）に示すように、画像Ｂの天地を調整して一番手前に表示し、画像Ｂに対応した表示店舗情報をメッセージ表示領域４０ｄに表示する（ステップＳ２４５）。
【００８４】
図１３（ｉｉ）に示すように、操作受付部４５が、画像Ｂについて表示画面４０の第２領域４０ｃへの移動操作を受け付けた場合（ステップＳ３２５：ＹＥＳ）、分類部４６は、未分類として記憶されていた画像Ｂを、閲覧不要として記憶するように記憶部４３を制御する（ステップＳ３３０）。分類作業画面表示制御部４４１は、図１３（ｉｉｉ）に示すように、分類作業領域４０ｂから画像Ｂを消去するとともに、メッセージ表示領域４０ｄに表示していた表示店舗情報を消去するように制御する（ステップＳ３３５）。さらに、分類作業画面表示制御部４４１は、未分類のチラシ画像の数を「４」に更新したメッセージを表示させるよう制御する。表示画面４０に現在表示していない未分類の画像Ｅが記憶部４３に記憶されているため（ステップＳ３４５：ＹＥＳ）、分類作業画面表示制御部４４１は、その画像Ｅを読み出す（ステップＳ３５０）。分類作業画面表示制御部４４１は、画像Ｅをランダムな表示位置に、重なり順が最も下になるように表示画面４０の分類作業領域４０ｂに追加表示するよう制御する（ステップＳ３５５）。
【００８５】
配信要求部４１は、表示画面４０に現在表示していない未分類のチラシ画像の数が、配信要求の送信を判断する閾値「０」に達し（ステップＳ３６０：ＹＥＳ）、チラシ総数「６」が配信済表示優先度「５」よりも大きいため (ステップＳ３６５：ＹＥＳ）、配信要求を生成し、広告配信装置１への送信する(ステップＳ３７０）。配信要求の検索条件には、最初の配信要求と同様に、ユーザの所在地を示す検索条件が設定される。配信要求対象特定情報には、配信済表示優先度「５」に１を加算した表示優先度から始まる範囲「６〜１０」を示す値が設定される。なお、配信要求対象特定情報には、チラシ総数を超えないように、表示優先度の範囲「６」を示す値を設定してもよい。
【００８６】
広告配信装置１の検索部１４は、端末装置４から２回目の配信要求を受信する（ステップＳ１０５）、２回目の配信要求に設定されている検索条件が、１回目の配信要求に設定されている検索条件と同一であるため、検索部１４は、最初の配信要求を受信したときと同様に、画像Ａ、画像Ｂ、画像Ｃ、画像Ｄ、画像Ｅ、画像Ｆを選択する(ステップＳ１１０、Ｓ１１５）。また、検索条件から変換された郵便番号が乱数発生のパラメータとして用いられるため、表示優先度決定部１５は、最初の配信要求を受信したときと同様に、画像Ａの表示優先度を「１」、画像Ｂの表示優先度を「３」、画像Ｃの表示優先度を「４」、画像Ｄの表示優先度を「２」、画像Ｅの表示優先度を「６」、画像Ｆの表示優先度を「５」と決定する。
【００８７】
配信部１６は、配信要求の配信要求対象特定情報が示す表示優先度の範囲「６〜１０」に合致する画像Ｅと、画像Ｅの表示優先度及び表示店舗情報と、チラシ総数「６」を配信データに設定する。さらに、配信部１６は、配信データにチラシ画像が１つのみ設定されているため、その表示優先度「６」を示す配信済表示優先度を配信データに設定する。これにより、配信部１６は、図４（ｂ）に示す２回目の配信データを端末装置４に送信する(ステップＳ１２５）。端末装置４の送受信部４２が、広告配信装置１から２回目の配信データを受信すると、記憶部４３は、図６（ｂ）に示すようにデータを記憶する。
【００８８】
チェック画面の分類作業領域４０ｂに未分類の画像Ｃ、画像Ｄ、画像Ｅが表示されている場合に、ユーザが、表示画面４０における画像Ｃの表示領域に指で触れると、操作受付部４５は、画像Ｃの選択操作を受け付けたと判断する（ステップＳ２４０：ＹＥＳ）。分類作業画面表示制御部４４１は、図１４（ｉ）に示すように、画像Ｃの天地を調整して一番手前に表示し、画像Ｃに対応した表示店舗情報をメッセージ表示領域４０ｄに表示する（ステップＳ２４５）。
【００８９】
図１４（ｉｉ）に示すように、操作受付部４５が、画像Ｃについて表示画面４０の第１領域４０ａへの移動操作を受け付けた場合（ステップＳ３０５：ＹＥＳ）、分類部４６は、未分類として記憶されていた画像Ｃを、閲覧必要として記憶するように記憶部４３を制御する（ステップＳ３１０）。分類作業画面表示制御部４４１は、図１４（ｉｉｉ）に示すように、分類作業領域４０ｂから画像Ｃを消去するとともに（ステップＳ３１５）、第１領域４０ａに画像Ｃを識別する情報（アイコンＩｃ）を表示するように制御する（ステップＳ３２０）。さらに、分類作業画面表示制御部４４１は、メッセージ表示領域４０ｄに表示していた表示店舗情報を消去し、未分類のチラシ画像の数を「３」に更新したメッセージを表示させるよう制御する。表示画面４０に現在表示していない未分類の画像Ｆが記憶部４３に記憶されているため（ステップＳ３４５：ＹＥＳ）、分類作業画面表示制御部４４１は、その画像Ｆを読み出す（ステップＳ３５０）。分類作業画面表示制御部４４１は、画像Ｆをランダムな表示位置に、重なり順が最も下になるように表示画面４０の分類作業領域４０ｂに追加表示するよう制御する（ステップＳ３５５）。
【００９０】
なお、図１４（ｉｉ）に示すように、分類作業画面表示制御部４４１は、第１領域４０ａ上にチラシ画像が移動してきたときに、第１領域である旨を明示的に表示するとともに、既に閲覧必要として記憶しているチラシ画像を識別する情報（アイコンＩａ）を第１領域内に表示するように制御する。
【００９１】
配信要求部４１は、表示画面４０に現在表示していない未分類のチラシ画像の数が、配信要求の送信を判断する閾値「０」に達したが（ステップＳ３６０：ＹＥＳ）、チラシ総数「６」が配信済表示優先度「６」と同じであるため (ステップＳ３６５：ＮＯ）、配信要求は送信しない。操作受付部４５は、操作受付待ちとなる。
【００９２】
続いて、チェック画面の分類作業領域４０ｂに未分類の画像Ｄ、画像Ｅ、画像Ｆが表示されている場合に、ユーザが、表示画面４０における画像Ｅの表示領域に指で触れると、操作受付部４５は、画像Ｅの選択操作を受け付けたと判断する（ステップＳ２４０：ＹＥＳ）。分類作業画面表示制御部４４１は、図１５（ｉ）に示すように、画像Ｅの天地を調整して一番手前に表示し、画像Ｅに対応した表示店舗情報をメッセージ表示領域４０ｄに表示する（ステップＳ２４５）。
【００９３】
図１５（ｉｉ）に示すように、操作受付部４５が、画像Ｅについて表示画面４０の第１領域４０ａへの移動操作を受け付けた場合（ステップＳ３０５：ＹＥＳ）、分類部４６は、画像Ｅを閲覧必要として記憶するように記憶部４３を制御する（ステップＳ３１０）。分類作業画面表示制御部４４１は、図１５（ｉｉｉ）に示すように、分類作業領域４０ｂから画像Ｅを消去するとともに（ステップＳ３１５）、第１領域４０ａに画像Ｅを識別する情報（アイコンＩｅ）を表示するように制御する（ステップＳ３２０）。さらに、分類作業画面表示制御部４４１は、メッセージ表示領域４０ｄに表示していた表示店舗情報を消去し、未分類のチラシ画像の数を「２」に更新したメッセージを表示させるよう制御する。表示画面４０に現在表示していない未分類のチラシ画像が記憶部４３に記憶されていないため（ステップＳ３４５：ＮＯ）、チラシ画像は追加されない。配信要求部４１は、表示画面４０に現在表示していない未分類のチラシ画像の数が、配信要求の送信を判断する閾値「０」に達したが（ステップＳ３６０：ＹＥＳ）、チラシ総数「６」が配信済表示優先度「６」と同じであるため (ステップＳ３６５：ＮＯ）、配信要求は送信しない。操作受付部４５は、操作受付待ちとなる。
【００９４】
続いて、チェック画面の分類作業領域４０ｂに未分類の画像Ｄ、画像Ｆが表示されている場合に、ユーザが、表示画面４０における画像Ｆの表示領域に指で触れると、操作受付部４５は、画像Ｆの選択操作を受け付けたと判断する（ステップＳ２４０：ＹＥＳ）。分類作業画面表示制御部４４１は、図１６（ｉ）に示すように、画像Ｆの天地を調整して一番手前に表示し、画像Ｆに対応した表示店舗情報をメッセージ表示領域４０ｄに表示する（ステップＳ２４５）。
【００９５】
図１６（ｉｉ）に示すように、操作受付部４５が、画像Ｆについて表示画面４０の第２領域４０ｃへの移動操作を受け付けた場合（ステップＳ３２５：ＹＥＳ）、分類部４６は、未分類として記憶されていた画像Ｆを、閲覧不要として記憶するように記憶部４３を制御する（ステップＳ３３０）。分類作業画面表示制御部４４１は、図１６（ｉｉｉ）に示すように、分類作業領域４０ｂから画像Ｆを消去するとともに、メッセージ表示領域４０ｄに表示していた表示店舗情報を消去するように制御する（ステップＳ３３５）。さらに、分類作業画面表示制御部４４１は、未分類のチラシ画像の数を「１」に更新したメッセージを表示させるよう制御する。表示画面４０に現在表示していない未分類のチラシ画像が記憶部４３に記憶されていないため（ステップＳ３４５：ＮＯ）、チラシ画像は追加されない。配信要求部４１は、表示画面４０に現在表示していない未分類のチラシ画像の数が、配信要求の送信を判断する閾値「０」に達したが（ステップＳ３６０：ＹＥＳ）、チラシ総数「６」が配信済表示優先度「６」と同じであるため (ステップＳ３６５：ＮＯ）、配信要求は送信しない。操作受付部４５は、操作受付待ちとなる。
【００９６】
続いて、チェック画面の分類作業領域４０ｂに未分類の画像Ｄが表示されている場合に、ユーザが、表示画面４０における画像Ｄの表示領域に指で触れると、操作受付部４５は、画像Ｄの選択操作を受け付けたと判断する（ステップＳ２４０：ＹＥＳ）。分類作業画面表示制御部４４１は、図１７（ｉ）に示すように、画像Ｄの天地を調整して表示し、画像Ｄに対応した表示店舗情報をメッセージ表示領域４０ｄに表示する（ステップＳ２４５）。
【００９７】
図１７（ｉｉ）に示すように、操作受付部４５が、画像Ｄについて表示画面４０の第２領域４０ｃへの移動操作を受け付けた場合（ステップＳ３２５：ＹＥＳ）、分類部４６は、未分類として記憶されていた画像Ｄを、閲覧不要として記憶するように記憶部４３を制御する（ステップＳ３３０）。分類作業画面表示制御部４４１は、図１７（ｉｉｉ）に示すように、分類作業領域４０ｂから画像Ｄを消去するとともに、メッセージ表示領域４０ｄに表示していた表示店舗情報を消去するように制御する（ステップＳ３３５）。さらに、分類作業画面表示制御部４４１は、未分類のチラシ画像の数を「０」に更新したメッセージを表示させるよう制御する。未分類のチラシ画像が記憶部４３に記憶されていないため（ステップＳ３４０：ＹＥＳ）、処理を終了する。
【００９８】
なお、上記実施形態では、１台の端末装置４へのチラシ画像の同時配信数が限られている場合について説明したが、広告配信装置１は、同時配信数を制限せずにチラシ画像を配信してもよい。この場合、配信データには、チラシ総数、及び配信済表示優先度を設定しなくともよい。広告配信装置１の配信部１６は、図９のステップＳ１２５において、表示優先度決定部１５から入力されたチラシ画像ＩＤにより特定される全てのチラシ画像と、これらチラシ画像について表示優先度決定部１５が決定した表示優先度と、これらチラシ画像の表示店舗情報とを対応付けた配信データを生成する。また、端末装置４は、図１１のステップＳ３５５の処理の後、あるいは、ステップＳ３４５においてＮＯと判断した場合（ステップＳ３４５：ＮＯ）、図１０のステップＳ２４０からの処理を繰り返し、ステップＳ３６０〜ステップＳ３７０の処理は実行しない。
【００９９】
なお、上記実施形態では、広告配信装置１は、ステップＳ１２０においてチラシ画像の表示優先度を決定する際、チラシ画像を優先度別の表示カテゴリに分類し、表示カテゴリ間の優先度を維持しながら、各表示カテゴリ内においてチラシ画像の表示優先度をランダムに決定してもよい。
例えば、表示優先度決定部１５は、ステップＳ１２０において検索部１４が特定したチラシ画像をカテゴリＣ１、カテゴリＣ２、カテゴリＣ３の３つの表示カテゴリに分類する。表示カテゴリの優先度は、カテゴリＣ１、カテゴリＣ２、カテゴリＣ３の順に高く、カテゴリＣ１に分類されたチラシ画像の数をｎ１、カテゴリＣ２に分類されたチラシ画像の数をｎ２、カテゴリＣ３に分類されたチラシ画像の数をｎ３とする。表示優先度決定部１５は、ユーザ特定情報あるいはユーザのカテゴリを示す情報をパラメータとして用い、カテゴリＣ１に分類されたチラシ画像に対して表示優先度１〜ｎ１をランダムに決定し、カテゴリＣ２に分類されたチラシ画像に対して表示優先度１〜ｎ２をランダムに決定し、カテゴリＣ３に分類されたチラシ画像に対して表示優先度１〜ｎ３をランダムに決定する。表示優先度決定部１５は、カテゴリＣ１のチラシ画像については、カテゴリＣ１内において決定した表示優先度をそのまま用い、カテゴリＣ２のチラシ画像については、カテゴリＣ２内において決定した表示優先度にｎ１を加算した値を表示優先度として用い、カテゴリＣ３のチラシ画像については、カテゴリＣ３内において決定した表示優先度に（ｎ１＋ｎ２）を加算した値を表示優先度として用いる。
なお、表示カテゴリは、店舗またはチラシ画像に対応付けて予め記憶部１１に記憶しておき、表示優先度決定部１５は、検索部１４が抽出した配信対象のチラシ画像、あるいは、配信対象のチラシ画像の広告実施店舗に対応する表示カテゴリを記憶部１１から読み出す。あるいは、表示カテゴリは、店舗に対応付けて予め記憶部１１に記憶されている任意の情報、または、チラシ画像に対応付けて予め記憶部１１に記憶されている任意の情報、あるいは、それらの組み合わせに基づいて決定するようにしてもよい。
【０１００】
なお、配信要求に複数の検索条件が設定される場合、広告配信装置１は、一部の検索条件からチラシ画像を抽出して表示優先度を決定した後、全ての検索条件に合致するチラシ画像のみを配信するようにしてもよい。例えば、検索条件がユーザ位置情報と、業種であるとする。この場合、図９のステップＳ１１０において、検索部１４は、ユーザ位置情報を郵便番号に変換し、変換した郵便番号に基づいて広告配信店舗を特定する。ステップＳ１１５において、検索部１４は、特定した広告配信店舗のチラシ画像の中から、掲載開始時刻または登録日時が、配信要求を受信した時間帯に基づいて定められる時刻以降であるチラシ画像を抽出する。ステップＳ１２０において、表示優先度決定部１５は、郵便番号をパラメータとして用い、抽出されたチラシ画像の表示優先度を決定する。表示優先度決定部１５は、抽出されたチラシ画像の中から、検索情報が検索条件の業種と合致するチラシ画像を配信対象のチラシ画像として選択し、選択したチラシ画像のチラシ画像ＩＤと、当該チラシ画像について決定した表示優先度とを対応付けて配信部１６に出力する。
これにより、ユーザが選択した業種に拘らず、同じ郵便番号のユーザであれば、同じ表示優先度によりチラシ画像を配信することができる。
【０１０１】
また、上記の広告配信システムによれば、広告配信装置１は、配信要求を受信する度に、配信対象のチラシ画像を検索し、表示優先度を決定しているが、１回目の配信要求を受信したときに決定したチラシ画像の表示優先度を、ユーザ特定情報及び検索条件に対応付けて記憶部１１に記憶するようにしてもよい。この場合、図９のステップＳ１１０の前に、検索部１４は、受信した配信要求からユーザ特定情報（ユーザＩＤ、端末ＩＤ、電話番号など）を読み出す。検索部１４は、読み出したユーザ特定情報に対応付けてチラシ画像ＩＤと表示優先度との組が記憶部１１に記憶されており、かつ、記憶部１１に記憶されている検索条件と受信した配信要求に設定されている検索条件とが一致するかを判断する。
【０１０２】
検索部１４は、チラシ画像ＩＤと表示優先度との組が記憶されていない、あるいは、検索条件が異なると判断した場合、ステップＳ１１０からの処理を行う。配信部１６は、図９のステップＳ１２０において表示優先度決定部１５から出力されたチラシ画像ＩＤと表示優先度との組を、ユーザ特定情報及び検索条件に対応付けて記憶部１１に書き込む。
広告配信装置１が２回目以降の配信要求を受信した場合、図９のステップＳ１１０の前に検索部１４は、配信要求から取得したユーザ特定情報に対応付けてチラシ画像ＩＤと表示優先度との組が記憶されており、かつ、記憶部１１に記憶されている検索条件と受信した配信要求に設定されている検索条件とが一致すると判断する。検索部１４は、チラシ画像ＩＤと表示優先度との組を読み出して配信部１６に出力する。これにより、配信部１６は、ステップＳ１２５からの処理を行う。
なお、記憶部１１は、各配信時間帯の開始時刻に、ユーザ特定情報に対応付けて記憶していたチラシ画像ＩＤ、表示優先度、及び検索条件を消去する。
【０１０３】
また、上記のように、広告配信装置１が、１回目の配信要求を受信したときに決定したチラシ画像の表示優先度を記憶しておく場合、記憶部１１にさらに配信済表示優先度を記憶しておくことで、配信要求から配信要求対象特定情報を省略することができる。検索部１４は、図９のステップＳ１１０の前に、ユーザ特定情報に対応付けてチラシ画像ＩＤと表示優先度との組が記憶部１１に記憶されており、かつ、記憶部１１に記憶されている検索条件と受信した配信要求に設定されている検索条件とが一致すると判断した場合、記憶部１１からさらに配信済表示優先度を読み出して配信部１６に出力する。これにより、配信部１６は、配信済表示優先度に１を加算した範囲から始まる表示優先度の範囲を配信要求対象特定情報として用いる。
【０１０４】
以上説明した本実施形態の広告配信システムによれば、広告配信装置１は、ユーザに対して配信するチラシ画像の表示優先度をランダムに決めるため、表示優先度順による閲覧機会の不均衡を低減し、電子チラシがユーザに閲覧される機会を公平に近づけることができる。また、ユーザ全体として表示優先度順による閲覧機会の不均衡を低減しながらも、同じ検索条件、同じカテゴリの複数のユーザに対しては、同じ表示優先度でチラシ画像を送信することも可能となる。
【０１０５】
また、上述した広告配信システムによれば、電子チラシの配信数が多い場合は、同一ユーザに対してすでに配信した電子チラシが重複して配信されないように複数回に分けて配信を行うため、広告配信装置１と端末装置４との間の１回の通信時間が減少する。さらには、全ての電子チラシを配信する前に配信要求が中止されることもあるため、閲覧されない電子チラシを配信するためにかかっていた通信時間も削減される。従って、あるユーザの端末装置４に配信対象の電子チラシ全てを配信してから、次のユーザの端末装置４に配信対象の電子チラシ全てを配信することを繰り返す場合と比較して、総通信時間が減少するともに、短い時間の中でより多くのユーザに広告を配信することができる。
また、配信要求を受信する都度、検索条件に合致する電子チラシを選択し、表示優先度を決定することにより、広告配信装置１において各端末装置４へ未配信の電子チラシの情報を記憶しておく必要がないため、記憶部１１の記憶領域を圧迫しないようにすることができる。一方、最初の配信要求時に選択した電子チラシとその表示優先度の情報を記憶しておくことにより、電子チラシの検索処理及び表示優先度の決定の処理が省略されるため、２回目以降の配信要求の受信から配信データの送信までの時間を短縮することができる。
【０１０６】
また上述した端末装置４によれば、表示画面４０に収まる大きさの分類作業領域４０ｂにチラシ画像をランダムに表示するため、画面スクロールなどの操作を行わなくても各チラシ画像の少なくとも一部が表示される。同じ店舗のチラシ画像は、その店舗のロゴを常に使用したり、類似したレイアウト、色合い、文字の種類などを使用することが多いため、ユーザは、自分がよく利用する店舗のチラシ画像であれば、重なりが下のチラシ画像であっても、その見えているチラシ画像の一部の表示から類推し、選択することが可能である。しかし、分類作業領域４０ｂに多くのチラシ画像を表示しすぎてしまうと、重なりがより下のチラシ画像については表示される部分が少なくなり、また、指で触れたときに所望のチラシ画像とは異なるチラシ画像が選択されてしまうなど、選択操作が困難となってしまう。そこで、一度（一斉）に表示するチラシ画像の数を制限し、１つのチラシ画像の分類が終わるごとに次のチラシ画像を追加表示するようにして、重なりが下のチラシ画像に対しても、容易に選択操作ができるようにしている。
また、ユーザは、分類先を判断する際の情報として、店舗名など、選択チラシ画像の広告配信店舗に関する情報を利用することができる。
【０１０７】
また、ユーザは、１つのチラシ画像に対して分類作業を行っているときでも、表示画面４０に表示されている他のチラシ画像についてもすでに分類先を決めていることがある。そこで、チラシ画像を追加表示する際には、すでに表示しているチラシ画像よりも下に追加することによって、チラシ画像の追加表示前にすでに表示されていたチラシ画像に対する分類操作をスムーズに行えるようにしている。
【０１０８】
また、ユーザは、チラシ画像の表示位置を移動させることによって当該チラシ画像を分類することができるため、紙のチラシを扱うのに近い感覚で、チラシ画像を分別することができる。また、図１２〜図１７に示すように、チラシ画像をゲーム感覚で楽しく、片付けることができる。
【０１０９】
また、分類部４６は、チラシ画像の移動先が、領域４０ａ、領域４０ｂ及び領域４０ｃを含む範囲の何れの辺に沿った端部の領域であるかに応じて当該チラシ画像を分類しているため、ユーザは、閲覧必要又は閲覧不要の分類先に応じて、何れかの辺の方向に、チラシ画像を移動させるのみで、チラシ画像を分類できる。従って、例えば、表示画面４０のフォルダなどを表示している閉領域等の特定の領域に移動させるよりも、簡便に、チラシ画像を分類することができる。
【０１１０】
なお、上記実施例においては、操作受付部４５は、ユーザが、表示画面４０上において一のチラシ画像の表示領域に指で触れた場合、当該指の操作をチラシ画像の選択操作として受け付け、選択されたチラシ画像の表示領域に指で触れたままの状態で指が触れている位置を移動させた場合、当該指の移動操作を、当該チラシ画像の表示位置の移動操作として受け付けると説明したが、操作受付部４５が移動操作として受け付ける操作はこれに限定されない。
【０１１１】
図１８は、表示画面４０における表示例である。例えば、操作受付部４５は、図１８に示すように、表示画面４０上において一のチラシ画像の表示領域をフリックする操作を、当該チラシ画像の表示位置の移動操作として受け付けるようにしてもよい。なお、フリックする操作とは、例えば、弾く、滑らせる、投げる操作である。
【０１１２】
なお、フリックの場合、分類作業画面表示制御部４４１は、弾く際に最初にチラシ画像上の指を付けた位置及び当該チラシ画像を弾いて指を離した位置に基づいて算出されるチラシ画像の移動方向と、弾く際の勢い（チラシ画像に与えた加速度）に基づいて算出されるチラシ画像の速さとから、フリック後に移動するチラシ画像（弾かれたチラシ画像）を表示画面４０に表示させるように制御する。なお、弾かれたチラシ画像は、弾かれた後に減速せずに等速運動をするようにしてもよいし、予め定めた摩擦計数に従って徐々に減速、停止するようにしてもよい。
【０１１３】
また、分類部４６は、フリック後に移動するチラシ画像の少なくとも一部が、表示画面４０の第１領域上に表示されたときに、当該チラシ画像を第１の画像（閲覧必要）に分類する。また、分類部４６は、フリック後に移動するチラシ画像の少なくとも一部が、表示画面４０の第２領域上に表示されたときに、当該チラシ画像を第２の画像（閲覧不要）に分類する。
【０１１４】
また、上記実施例においては、閲覧必要に振り分けるための第１領域は、チラシ画像の移動範囲を規定する左辺に沿った端部の領域であると説明したが、第１領域は当該端部に限定されない。例えば、移動範囲を規定する右辺、上辺、下辺の何れかの辺に沿った端部の領域を第１領域としてもよい。また、移動範囲を規定する何れかの１辺に沿った端部の領域を第１領域とするのではなく、２辺又は３辺に沿った端部の領域を第１領域としてもよい。
【０１１５】
また、同様に、上記実施例においては、閲覧不要に振り分けるための第２領域は、チラシ画像の表示画面４０上の移動範囲を規定する３辺（例えば、上辺、右辺、下辺）に沿った端部の領域であると説明したが、第２領域はこれに限定されず、第１領域とする端部以外の端部の全部又は一部を第２領域とすればよい。例えば、移動範囲を規定する上辺に沿った端部の領域を第１領域とした場合、上辺以外の端部である左辺、下辺、右辺の３辺の全部又は一部に沿った端部を第２領域としてもよい。
【０１１６】
また、上記実施例においては、分類部４６は操作受付部４５によって受け付けたチラシ画像の表示位置の移動先に応じてチラシ画像を閲覧必要と閲覧不要とに分類すると説明したが、端末装置４は、上述のような、未分類の状態のチラシ画像を分類済の状態にする分類機能に加え、分類済の状態（閲覧必要又は閲覧不要）のチラシ画像を未類済の状態にする分類やり直し機能（リセット機能）を更に備えていてもよい。具体的には、端末装置４が分類やり直し部（非図示）を備え、分類やり直し部は、操作受付部４５を介して受け付けた分類やり直し操作に応じて、分類済の状態のチラシ画像を未類済の状態に戻してもよいし、分類部４６が分類やり直し機能を有し、上述の分類やり直し操作に応じて、分類済の状態のチラシ画像を未類済の状態に戻してもよい。なお、分類済の状態のチラシ画像を未類済の状態に戻したときは、記憶部４３の記憶の状態、及び、表示画面の表示の状態が、分類済の状態から未分類のときの状態に戻る。
【０１１７】
続いて、図１２乃至図１７、及び、図１９乃至図２０を用いて、分類結果を参照する画面に関して説明する。図１９乃至図２０は、分類結果表示制御部４４２が表示画面４０に表示させる表示例である。
図１２乃至図１７に示すように、チラシ総数が「６」である場合において、画像Ａの分類後に（図１２（ｉｉｉ）の状態において）、領域４０ｅの「チェックしたチラシをみる」がタッチされたときは、分類結果表示制御部４４２は、図１９（ａ）の如く、分類結果を表示画面４０に表示する。
【０１１８】
図１９（図２０も同様）において、領域４０ａ’は、上述の第１領域４０ａと略同一の位置の領域であって、閲覧必要に分類されたチラシ画像（閲覧必要として記憶されたチラシ画像）を識別する情報を表示する領域４０ａ’−１、及び、閲覧不要に分類されたチラシ画像（閲覧不要として記憶されたチラシ画像）を識別する情報を表示する領域４０ａ’−２から構成されている。なお、領域４０ａ’−１、領域４０ａ’−２は、互いに異なる色にて表示してもよいし、他の領域との境界を明示してもよい。
【０１１９】
図１９（図２０も同様）において、領域４０ｂ’は、上述の分類作業領域４０ｂと略同一の位置の領域であって、分類結果表示制御部４４２は、閲覧必要に分類されたチラシ画像の１つを領域４０ｂ’に初期表示させる（拡大表示してもよい）。なお、閲覧必要に分類されたチラシ画像が存在しない場合には、分類結果表示制御部４４２は、閲覧不要に分類されたチラシ画像の１つを領域４０ｂ’に初期表示してもよい。
【０１２０】
また、領域４０ｄ’は、上述の領域４０ｄと略同一の位置の領域である。分類結果表示制御部４４２は、領域４０ｂ’に表示されているチラシ画像に対応して記憶部４３に記憶されている表示店舗情報を読み出して領域４０ｄ’に表示する。
【０１２１】
図１９（図２０も同様）において、領域４０ｅ’の「もどる」がタッチされたときは、当該分類結果を参照する画面の表示前の画面に戻る。
【０１２２】
従って、画像Ａの分類後に（図１２（ｉｉｉ）の状態において）、「チェックしたチラシをみる」がタッチされたときは、分類結果表示制御部４４２は、記憶部４３に記憶されている各チラシ画像の状態を読み出し、図１９（ａ）の如く、領域４０ａ’−１に、閲覧必要に分類された画像Ａを識別するアイコンＩａを表示する。閲覧不要に分類されたチラシ画像は無いため、領域４０ａ’−２には何も表示しない。
また、分類結果表示制御部４４２は、領域４０ｂ’には、領域４０ａ’−１に表示されたアイコンＩａに対応する画像Ａを記憶部４３から読み出し、初期表示する。さらに分類結果表示制御部４４２は、画像Ａの表示店舗情報を読み出して領域４０ｄ’に表示する。
なお、図１９（ａ）において、領域４０ｅ’の「もどる」がタッチされたときは、当該画面の表示前の画面に戻る。即ち、分類作業画面表示制御部４４１は、図１２（ｉｉｉ）の画面を表示する。図１９（ｂ）に記載の他の分類結果を参照する画面についても同様である。
【０１２３】
また、画像Ｄの分類後に（図１７（ｉｉｉ）の状態において）、「チェックしたチラシをみる」がタッチされたときは、分類結果表示制御部４４２は、記憶部４３に記憶されている各チラシ画像の状態を読み出し、図１９（ｂ）の如く、領域４０ａ’−１に、閲覧必要に分類された画像Ａ、画像Ｃ、画像Ｅを識別するアイコンＩａ、アイコンＩｃ、アイコンＩｅを表示し、領域４０ａ’−２に、閲覧不要に分類された画像Ｂ、画像Ｆ、画像Ｄを識別するアイコンＩｂ、アイコンＩｆ、アイコンＩｄを表示する。なお、領域４０ｂ’には、領域４０ａ’−１の最上部に表示されたアイコンＩａに対応する画像Ａを初期表示する。さらに、分類結果表示制御部４４２は、画像Ａの表示店舗情報を領域４０ｄ’に表示する。領域４０ａ’−１または領域４０ａ’−２に表示されている他のアイコンがタッチされた場合には、分類結果表示制御部４４２は、初期表示した画像Ａに代えて、タッチされたアイコンに対応するチラシ画像を領域４０ｂ’に表示し、領域４０ｂ’に表示したチラシ画像の表示店舗情報を領域４０ｄ’に表示する。
【０１２４】
なお、図１９に示す例は、閲覧必要に分類されたチラシ画像を識別するアイコン、及び、閲覧不要に分類されたチラシ画像を識別するアイコンを領域４０ａ’に表示する態様であるが、閲覧必要に分類されたチラシ画像を識別するアイコンのみを領域４０ａ’に表示する態様としてもよい。つまり、例えば、画像Ｄの分類後に（図１７（ｉｉｉ）の状態において）、「チェックしたチラシをみる」がタッチされたときは、分類結果表示制御部４４２は、図１９（ｂ）に代えて、図２０の如く、閲覧必要に分類された画像Ａ、画像Ｃ、画像Ｅを識別するアイコンＩａ、Ｉｃ、Ｉｅのみを表示してもよい。
【０１２５】
なお、図１９、図２０に示す例は、分類結果表示制御部４４２は、領域４０ｅ’に「もどる」を表示しているが、閲覧必要に分類されたチラシ画像の画像数と、うち何番目のチラシ画像を領域４０ｂ’に表示しているかを示す情報を表示してもよい。例えば、図１９（ｂ）の場合、閲覧必要に分類された画像数は３（画像Ａ、画像Ｃ、画像Ｅ）であって１番目の画像Ａを領域４０ｂ’に表示しているため、分類結果表示制御部４４２は、領域４０ｅ’に「１／３」と表示する。また、閲覧必要に分類されたチラシ画像の画像数に代えて、チラシ総数を用いてもよい。例えば、図１９（ａ）の場合、チラシ総数は６であって１番目の画像Ａを領域４０ｂ’に表示しているため、領域４０ｅ’に「１／６」と表示する。
【０１２６】
続いて、分類作業領域４０ｂのチラシ画像の初期表示について説明する。チラシ画像は、所定の、若しくは、ランダムに定める初期位置に表示すると説明し、一例として、図８の（ｉｖ）に示す表示例を示した。他の初期表示の表示例を図２１乃至図２４に示す。
即ち、開始画面（図８の（ｉｉｉ））において、「ＯＫ」ボタンがタッチされた場合、図２１（ｉ）の如く、分類作業画面表示制御部４４１は、表示優先度が高い順に表示上限数まで記憶部４３から読み出した未分類のチラシ画像である画像Ａ、画像Ｄ、画像Ｂを、ランダムな位置に向き（表示画面に対するチラシ画像の傾き）を揃えて表示画面４０に表示してもよい。なお、チラシ画像の重なりの順は、チラシ画像の表示優先度順である。そして、例えば、画像Ａが分類された場合、図２１（ｉｉ）の如く、分類作業画面表示制御部４４１は、未表示の未分類のチラシ画像の中で最も表示優先度が高い画像Ｃを、ランダムな位置に向き（表示画面に対するチラシ画像の傾き）を揃えて最も下に表示する。
【０１２７】
また、開始画面（図８の（ｉｉｉ））において、「ＯＫ」ボタンがタッチされた場合、図２２（ｉ）の如く、分類作業画面表示制御部４４１は、表示優先度順が高い順に表示上限数まで記憶部４３から読み出した未分類のチラシ画像である画像Ａ、画像Ｄ、画像Ｂを、ランダムな位置に向き（表示画面に対するチラシ画像の傾き）を揃えて重ならないように表示画面４０に表示してもよい。そして、例えば、画像Ａが分類された場合、図２２（ｉｉ）の如く、分類作業画面表示制御部４４１は、未表示の未分類のチラシ画像の中で最も表示優先度が高い画像Ｃを、ランダムな位置に向き（表示画面に対するチラシ画像の傾き）を揃えて重ならないように表示する。
【０１２８】
また、開始画面（図８の（ｉｉｉ））において、「ＯＫ」ボタンがタッチされた場合、図２３（ｉ）の如く、分類作業画面表示制御部４４１は、表示優先度が高い順に表示上限数まで記憶部４３から読み出した未分類のチラシ画像である画像Ａ、画像Ｄを、表示優先度に応じて上から順に向き（表示画面に対するチラシ画像の傾き）を揃えて重ならないように表示画面４０に表示してもよい。そして、例えば、画像Ａが分類された場合、図２３（ｉｉ）の如く、分類作業画面表示制御部４４１は、未表示の未分類のチラシ画像の中で最も表示優先度が高い画像Ｂを読み出して現在表示されている画像Ｄに加え、表示優先度に応じて上から順に向き（表示画面に対するチラシ画像の傾き）を揃えて重ならないように表示画面４０に表示する。このように、表示画面４０に一度に表示させる複数のチラシ画像のうち、表示優先度が最も高いチラシ画像を１番上の表示位置に表示し、次に表示優先度が高いチラシ画像を上から２番目の表示位置に表示する、というように、それら複数のチラシ画像を表示優先度に基づく順序の表示位置に表示するようにしてもよい。
【０１２９】
また、開始画面（図８の（ｉｉｉ））において、「ＯＫ」ボタンがタッチされた場合、図２４（ｉ）の如く、分類作業画面表示制御部４４１は、表示優先度が高い順に表示上限数まで記憶部４３から読み出した未分類のチラシ画像である画像Ａ、画像Ｄ、画像Ｂを、少しずつ所定方向にずらしながら、表示優先度に応じた順に重ねて表示画面４０に表示してもよい。そして、例えば、画像Ａが分類された場合、図２４（ｉｉ）の如く、分類作業画面表示制御部４４１は、未表示の未分類のチラシ画像の中で最も表示優先度が高い画像Ｃを読み出して、最も下に重ねて表示画面４０に表示する。
【０１３０】
なお、上記実施例におけるチラシ画像、即ち、分類作業領域４０ｂにおいて分類するチラシ画像は、実際に閲覧するための閲覧用画像データ（以下、「閲覧用画像」と記載する。）であってもよいし、閲覧用画像に対応するサムネイル画像データ（以下、「サムネイル画像」と記載する。）であってもよい。サムネイル画像を分類する態様の場合には、分類結果参照画面（図１９乃至図２０）の領域４０ｂ’に閲覧用画像を表示する。
【０１３１】
以下、サムネイル画像を分類する態様について説明する。広告配信装置１の記憶部１１は、サムネイル画像と閲覧用画像とを対応付けて記憶する。また、店舗管理情報のチラシ画像ＩＤに代えて、サムネイル画像を識別する情報であるサムネイルＩＤを設定する。広告配信装置１は、チラシ画像ＩＤに代えてサムネイルＩＤを用いて図９と同様の処理を行い、配信部１６はチラシ画像に代えてサムネイル画像を配信データに設定し、端末装置４に送信する。
端末装置４は、チラシ画像に代えてサムネイル画像を用い、図１０、及び図１１に示す処理を行う。そのため、端末装置４の分類作業画面表示制御部４４１は、チラシ画像に代えてサムネイル画像を表示画面４０に表示する（図８参照）。なお、端末装置４の送受信部４２は、広告配信装置１から送信された閲覧用画像も受信する（後述）。
【０１３２】
続いて、端末装置４は、ユーザからの指示に応じて、表示画面４０に表示されているサムネイル画像を分類し（図１２乃至図１７参照）、分類結果を記憶する（図６参照）。即ち、端末装置４の操作受付部４５は、分類作業画面表示制御部４４１によって表示画面４０に表示されたサムネイル画像の表示位置を移動させる移動操作を受け付け、分類部４６は、操作受付部４５によって受け付けたサムネイル画像の表示位置の移動先に応じてサムネイル画像を分類する。
【０１３３】
続いて、端末装置４の分類結果表示制御部４４２は、「チェックしたチラシをみる」がタッチされたときは、分類結果参照画面の領域４０ａ’にサムネイル画像を表示する。端末装置４は、分類結果参照画面の領域４０ａ’において、一のサムネイル画像（閲覧必要に分類された一のサムネイル画像、若しくは、閲覧不要に分類された一のサムネイル画像）がユーザによって指定（タッチ）されたときは、指定された当該サムネイル画像に対応する閲覧用画像を広告配信装置１に要求する。即ち、端末装置４の操作受付部４５は、分類されたサムネイル画像のなかから、所望のサムネイル画像の指定操作を受け付ける。端末装置４の分類結果表示制御部４４２は、操作受付部４５によって受け付けたサムネイル画像に対応する閲覧用画像を広告配信装置１に要求する。
広告配信装置１の配信部１６は、端末装置４からの要求に応じて、サムネイル画像に対応した閲覧用画像を記憶部１１から読み出して端末装置４に送信する。端末装置４の送受信部４２は、広告配信装置１から送信された閲覧用画像を受信し、分類結果表示制御部４４２は、分類結果参照画面の領域４０ｂ’に受信した閲覧用画像を表示する。
【０１３４】
なお、端末装置４の分類結果表示制御部４４２は、分類結果参照画面を表示したときに、初期表示として、領域４０ａ’の最上部に表示されたサムネイル画像（図１９乃至図２０の例においてサムネイル画像Ａ）に対応する閲覧用画像を、ユーザからの指定によらずに自動的に、広告配信装置１に要求してもよい。
【０１３５】
なお、広告配信装置１は、閲覧用画像に有効期限を設定し、端末装置４から閲覧用画像を要求された場合に、有効期限をチェックしてもよい。即ち、広告配信装置１の配信部１６は、有効期限内の閲覧用画像については端末装置４に送信し、有効期限を過ぎた閲覧用画像については端末装置４に送信しないようにしてもよい。
【０１３６】
また、端末装置４の分類結果表示制御部４４２は、サムネイル画像がタッチされる都度、広告配信装置１に閲覧用画像を要求するのではなく、広告配信装置１から受信した閲覧用画像を一時記憶しておき、一時記憶している閲覧用画像を表示してもよい。なお、端末装置４の分類結果表示制御部４４２は、閲覧用画像に有効期限が設定されている場合であって端末装置４側において有効期限を保持する場合（例えば、サムネイル画像又は閲覧用画像とともに有効期限情報を広告配信装置１から取得している場合）には、一時記憶している閲覧用画像を表示する際に、有効期限をチェックし、有効期限であれば表示し、そうでなければ表示しないようにしてもよい。また、端末装置４の分類結果表示制御部４４２は、閲覧用画像に有効期限が設定されている場合であって端末装置４側において有効期限を保持しない場合には、一時記憶している閲覧用画像を表示する際に、広告配信装置１に有効期限を問い合わせ、有効期限をチェックしてもよい。
【０１３７】
また、上記実施例においては、端末装置４は、スマートフォンである場合について説明したが、端末装置４がパーソナルコンピュータ、スマートフォンの普及よりも前に普及した携帯電話であり、タッチセンサ画面を有しない場合には、操作受付部４５は、マウス、操作キーなどによって、各種の操作を受け付けるようにしてもよい。
【０１３８】
また、広告配信装置１及び端末装置４の機能を実現するためのプログラムをコンピュータ読み取り可能な記録媒体に記録して、この記録媒体に記録されたプログラムをコンピュータシステムに読み込ませ、実行することにより、上記処理を行ってもよい。なお、ここでいう「コンピュータシステム」とは、ＯＳや周辺機器等のハードウェアを含むものとする。
【０１３９】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを配信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【０１４０】
以上、この発明の実施形態について図面を参照して詳述してきたが、具体的な構成はこの実施形態に限られるものではなく、この発明の要旨を逸脱しない範囲の設計等も含まれる。
【符号の説明】
【０１４１】
１…広告配信装置
１１…記憶部
１２…送受信部
１３…要求受信部
１４…検索部
１５…表示優先度決定部
１６…配信部
４…端末装置
４０…表示部（表示画面）
４１…配信要求部
４２…送受信部
４３…記憶部
４４…表示制御部
４４１…分類作業画面表示制御部
４４２…分類結果表示制御部
４５…操作受付部
４６…分類部
４７…計時部
９…ネットワーク
【図１】
2014191571.tif 000003
【図２】
2014191571.tif 000004
【図３】
2014191571.tif 000005
【図４】
2014191571.tif 000006
【図５】
2014191571.tif 000007
【図６】
2014191571.tif 000008
【図７】
2014191571.tif 000009
【図８】
2014191571.tif 000010
【図９】
2014191571.tif 000011
【図１０】
2014191571.tif 000012
【図１１】
2014191571.tif 000013
【図１２】
2014191571.tif 000014
【図１３】
2014191571.tif 000015
【図１４】
2014191571.tif 000016
【図１５】
2014191571.tif 000017
【図１６】
2014191571.tif 000018
【図１７】
2014191571.tif 000019
【図１８】
2014191571.tif 000020
【図１９】
2014191571.tif 000021
【図２０】
2014191571.tif 000022
【図２１】
2014191571.tif 000023
【図２２】
2014191571.tif 000024
【図２３】
2014191571.tif 000025
【図２４】
2014191571.tif 000026